(57)【特許請求の範囲】
【請求項１】
ユーザエージェントにおいて、
無線リソース制御（ＲＲＣ）構成メッセージをアクセスデバイスから受信するステップであって、前記ユーザエージェントにおけるアップリンク時間同期は、前記ＲＲＣ構成メッセージが受信される時、喪失される、ステップと、
前記ＲＲＣ構成メッセージ情報の少なくとも一部を使用して、前記ユーザエージェントを構成するステップと、
前記ＲＲＣ構成メッセージと関連付けられたリソース構成を使用して、アップリンク時間同期が回復された後、前記アクセスデバイスと通信するステップと
を含む、通信システム内における方法。
【請求項２】
前記ユーザエージェントにおけるアップリンク時間同期は、時間整合タイマが切れるまたは起動していないことに基づいて、喪失されていると判定される、請求項１に記載の方法。
【請求項３】
前記ＲＲＣ構成メッセージは、少なくとも１つのアップリンク制御チャネルリソースのリソース構成を含み、前記アクセスデバイスと通信するステップは、前記アップリンク制御チャネルリソースを使用して、前記アクセスデバイスに伝送するステップを含む、請求項１に記載の方法。
【請求項４】
ユーザエージェントにおいて、
構成メッセージをアクセスデバイスから受信するステップであって、前記ユーザエージェントにおけるアップリンク時間同期は、前記構成メッセージが受信されると、喪失され、
時間同期が回復された後、前記構成メッセージ情報の少なくとも一部を使用して、前記ユーザエージェントを構成するステップと、
前記メッセージ内で受信された構成を使用して、前記アクセスデバイスと通信するステップと
を含む、通信システム内における方法。
【請求項５】
構成メッセージは、ユーザエージェントにおいて受信され、前記ユーザエージェントが、どのようにアクセスデバイスと通信するように構成されるべきかを示す情報を含む、通信システム内における方法であって、ユーザエージェントにおいて、
無線リソース制御（ＲＲＣ）構成メッセージをアクセスデバイスから受信するステップであって、前記ユーザエージェントにおけるアップリンク時間同期は、前記構成メッセージが受信される時、喪失される、ステップと、
前記ＲＲＣ構成メッセージ情報を使用して、前記ユーザエージェントを構成するステップと、
アップリンク時間同期が回復されるまで、前記アクセスデバイスとの通信を保留するステップと、
前記ＲＲＣ構成メッセージ内で受信されたリソース構成を使用して、アップリンク時間同期が回復された後、前記アクセスデバイスと通信するステップと
を含む、方法。
【請求項６】
前記ユーザエージェントにおけるアップリンク時間同期は、時間整合タイマが切れるまたは起動していないことに基づいて、喪失されていると判定される、請求項５に記載の方法。
【請求項７】
前記ＲＲＣ構成メッセージは、少なくとも１つのアップリンク制御チャネルリソースの構成を含み、前記アクセスデバイスと通信するステップは、前記アップリンク制御チャネルリソースを使用して、前記アクセスデバイスに伝送するステップを含む、請求項５に記載の方法。
【請求項８】
通信システム内で使用するための装置であって、
無線リソース制御（ＲＲＣ）構成メッセージをアクセスデバイスから受信するステップであって、ユーザエージェントにおけるアップリンク時間同期は、前記ＲＲＣ構成メッセージが受信される時、喪失される、ステップと、
前記ＲＲＣ構成メッセージ情報の少なくとも一部を使用して、前記ユーザエージェントを構成するステップと、
前記ＲＲＣ構成メッセージと関連付けられたリソース構成を使用して、アップリンク時間同期が回復された後、前記アクセスデバイスと通信するステップと
を含む、動作を行なうようにプログラムされたプロセッサを含む、ユーザエージェントを含む、装置。
【請求項９】
前記ユーザエージェントにおけるアップリンク時間同期は、時間整合タイマが切れるまたは起動していないことに基づいて、喪失されていると判定される、請求項８に記載の装置。
【請求項１０】
前記ＲＲＣ構成メッセージは、少なくとも１つのアップリンク制御チャネルリソースのリソース構成を含み、前記アクセスデバイスと通信するステップは、前記アップリンク制御チャネルリソースを使用して、前記アクセスデバイスに伝送するステップを含む、請求項８に記載の装置。
【請求項１１】
通信システムと併用するための装置であって、
構成メッセージをアクセスデバイスから受信するステップと、
ユーザエージェントにおけるアップリンク時間同期が、前記構成メッセージが受信される時、喪失される場合、時間同期が回復された後、前記構成メッセージ情報の少なくとも一部を使用して、前記ユーザエージェントを構成するステップと、
前記メッセージ内で受信された構成を使用して、前記アクセスデバイスと通信するステップと
を行なうようにプログラムされたプロセッサを含む、ユーザエージェントを含む、装置。
【請求項１２】
構成メッセージは、ユーザエージェントにおいて受信され、前記ユーザエージェントが、どのようにアクセスデバイスと通信するように構成されるべきかを示す情報を含む、通信システムと併用するための装置であって、
無線リソース制御（ＲＲＣ）構成メッセージをアクセスデバイスから受信するステップであって、前記ユーザエージェントにおけるアップリンク時間同期は、前記ＲＲＣ構成メッセージが受信される時、喪失される、ステップと、
前記ＲＲＣ構成メッセージ情報を使用して、前記ユーザエージェントを構成するステップと、
アップリンク時間同期が回復されるまで、前記アクセスデバイスとの通信を保留するステップと、
前記ＲＲＣ構成メッセージを使用して、アップリンク時間同期が回復された後、前記アクセスデバイスと通信するステップと
を含む、動作を行なうようにプログラムされたプロセッサを含む、ユーザエージェントを含む、装置。
【請求項１３】
前記ユーザエージェントにおけるアップリンク時間同期は、時間整合タイマが切れるまたは起動していないことに基づいて、喪失されていると判定される、請求項１２に記載の装置。
【請求項１４】
前記ＲＲＣ構成メッセージは、少なくとも１つのアップリンク制御チャネルリソースの構成を含み、前記アクセスデバイスと通信するステップは、前記アップリンク制御チャネルリソースを使用して、前記アクセスデバイスに伝送するステップを含む、請求項１２に記載の装置。
【発明の詳細な説明】
【技術分野】
【０００１】
本発明は、概して、モバイル通信システム内のデータ伝送に関し、より具体的には、ユーザエージェントとアクセスデバイスとの間のアップリンクを再同期するための方法に関する。
【背景技術】
【０００２】
本明細書で使用されるように、用語「ユーザエージェント」および「ＵＡ」は、電気無線通信能力を有する、携帯電話、携帯情報端末、ハンドヘルドまたはラップトップコンピュータ、および類似デバイス等の無線デバイスを指すことができる。いくつかの実施形態では、ＵＡは、モバイル無線デバイスを指してもよい。用語「ＵＡ」はまた、デスクトップコンピュータ、セットトップボックス、またはネットワークノード等、類似能力を有するが概して可搬性ではないデバイスを指してもよい。
【０００３】
従来の無線電気通信システムでは、基地局内の伝導機器またはアクセスデバイスは、セルとして知られる地理的領域を通して、信号を伝送する。技術の発展に伴って、より高度な機器が導入され、以前には可能ではなかったようなサービスを提供可能になっている。このような高度な機器として、例えば、Ｅ−ＵＴＲＡＮ（発展型ユニバーサル地上無線アクセスネットワーク）ノードＢ（ｅＮＢ）、従来の無線電気通信システム内の同等機器より高度に発展した基地局または他のシステムおよびデバイスが挙げられる場合がある。そのような高度または次世代機器は、本明細書では、長期発展型機器（ＬＴＥ）と称され、そのような機器を使用するパケットベースのネットワークは、発展型パケットシステム（ＥＰＳ）と称され得る。本明細書で使用されるように、用語「アクセスデバイス」は、電気通信システム内の他の構成要素へのアクセスをＵＡに提供することができる、従来の基地局またはＬＴＥｅＮＢ（発展型ノードＢ）等の任意の構成要素を指すであろう。
【０００４】
Ｅ−ＵＴＲＡＮ等のモバイル通信システムでは、アクセスデバイスは、１つ以上のＵＡへの無線アクセスを提供する。アクセスデバイスは、アクセスデバイスと通信する全ＵＡ間でアップリンクおよびダウンリンクデータ伝送リソースを配分するためのパケットスケジューラを備える。スケジューラの機能は、とりわけ、ＵＡ間の利用可能な無線インターフェース能力を分割するステップと、各ＵＡのパケットデータ伝送のために使用されるリソース（例えば、副搬送周波数およびタイミング）を決定するステップと、パケット配分およびシステム負荷を監視するステップと、を含む。スケジューラは、ダウンリンク共有チャネル（ＰＤＳＣＨ）およびアップリンク共有チャネル（ＰＵＳＣＨ）データ伝送のための物理層リソースを配分し、スケジューリングチャネルを通して、ＵＡにスケジューリング情報を送信する。ＵＡは、アップリンクおよびダウンリンク伝送のタイミング、周波数、データブロックサイズ、変調、および符号化のためのスケジューリング情報を参照する。
【０００５】
アクセスデバイスと、アクセスデバイスへの接続が既に確立されたＵＡとの間の未スケジューリングされた通信を開始するためには、いくつかの方法がある。本明細書では、ＵＡによって始動される第１の方法と、アクセスデバイスによって始動される第２の方法と、を含む、通信を開始するための２つの方法について、説明される。当業者は、ＵＡとアクセスデバイスとの接続が最初に確立された後、アクセスデバイスが、一意のセル無線ネットワーク端末識別子（Ｃ−ＲＮＴＩ）をＵＡに配分することを認識するはずである。ＵＡ始動通信の場合、ＵＡは、最初に、アクセスデバイスと関連付けられたセル内のアクセスデバイスにアクセスすることを要求する必要がある。アクセスを要求するために、ＵＡは、ランダムアクセス（ＲＡ）プロセスを始動し、それによって、ＵＡは、ランダムに、または所定のルールを介して、ＲＡプリアンブルと呼ばれる複数の所定のコード配列のうちの１つを選択し、非同期ＲＡチャネル（ＲＡＣＨ）上で選択されたＲＡプリアンブルを伝送する。アクセスデバイスが、ＲＡプリアンブルを受信すると、アクセスデバイスは、ＲＡプリアンブルのためのＲＡプリアンブル識別子（ｉｄまたはｉｎｄｅｘ）と、アップリンク（ＵＬ）タイミング同期を調節するタイミング前進値と、後続メッセージを伝送するために配分されるＵＬリソースを示す許可情報と、ランダムアクセスプロシージャの間、一時的ＵＡＩＤとして使用される、一時的セル無線ネットワーク端末ＩＤ（一時的Ｃ−ＲＮＴＩ）と、を含む、ＲＡ応答メッセージを伝送する。ＲＡ応答メッセージを受信後、ＵＡは、ＲＡプリアンブルｉｄを検証し、検証されたＲＡプリアンブルｉｄが、伝送されたＲＡプリアンブルのものと等しい場合、ＵＡは、アップリンクスケジューリング伝送をアクセスデバイスに伝送する。例示的種類のアップリンクスケジューリング伝送の１つとして、アクセスデバイスに送信されるＵＡのアップリンクバッファ内のデータ量を報告するために割り当てられたＣ−ＲＮＴＩを含む、バッファ状態報告（ＢＳＲ）が挙げられる。
【０００６】
複数のＵＡが、同一プリアンブルをアクセスデバイスに同時に伝送する場合、ＲＡプロシージャの際、競合が生じる。競合が生じると、アクセスデバイスは、競合を解決し、ＰＤＣＣＨ上で、競合に勝利したＵＡのＣ−ＲＮＴＩに競合解決（ＣＲ）メッセージを伝送する。Ｃ−ＲＮＴＩを有する各ＵＡは、ＲＡ競合に勝利または敗北したのかどうか、ＣＲメッセージのＣ−ＲＮＴＩから判定することができる。ＣＲメッセージのＣ−ＲＮＴＩが、ＵＡのものではない場合、ＵＡは、競合に敗北しており、ＵＡは、ＲＡプロシージャを回復する。ＣＲメッセージのＣ−ＲＮＴＩが、ＵＡのＣ−ＲＮＴＩと合致する場合、ＵＡは、競合に勝利しており、ランダムアクセスプロシージャを正常に完了させる。
【０００７】
アクセスデバイス始動通信の場合、アクセスデバイスは、ＰＤＣＣＨ上で、ＵＡと関連付けられたＣ−ＲＮＴＩに、専用プリアンブルとともに、ダウンリンクデータ到達通知を伝送することによって、未スケジューリングされた通信を開始することができる。Ｃ−ＲＮＴＩと関連付けられたＵＡが、ダウンリンクデータ到達通知を受信すると、ＵＡは、アクセスデバイスが、ＵＡに伝送するためのデータを有していることを認識し、専用プリアンブル伝送（すなわち、アクセスデバイスによって、Ｃ−ＲＮＴＩ専用に割り当てられたプリアンブル）を生成し、アクセスデバイスに返信することによって、ランダムアクセスプロセスを開始する。アクセスデバイスは、専用プリアンブルが受信されると、ＲＡ応答を伝送し、ＲＡ応答は、他のデータの中でもとりわけ、アップリンク（ＵＬ）タイミング同期を調節するタイミング前進値を含む。
【０００８】
ＵＡは、その配分された時間間隔でのみ、データを伝送することが許容されている。伝送されるデータがある場合、ＵＡは、ＵＡデータバッファにデータを一時的に記憶し、許可されたアップリンク配分を使用して、データを伝送する。随時、ＵＡは、ＢＳＲとして、バッファ内に記憶されたデータ量をアクセスデバイスに報告し、データを伝送するためのリソースの配分を要求する。アクセスデバイスは、少なくとも部分的に、ＢＳＲによって報告されるデータ量に基づいて、ＵＡにアップリンク許可を配分し、その許可に関してＵＡに通信する。許可が受信された後、ＵＡは、配分された許可と一致するように、アップリンク共有チャネル上で、データを伝送する。
【０００９】
アップリンク時間整合または同期を維持する、ＵＡに対する非競合アクセス要求を促進するために、アクセスデバイスは、アップリンクリソースをＵＡに周期的に割り当ててもよく、その際、ＵＡは、ＵＡのアップリンクデータバッファ内にデータがある時、ＢＳＲまたは他のアップリンクスケジューリング伝送をアクセスデバイスに伝送するためのアップリンク許可を要求するために、アクセスデバイスにスケジューリング要求（ＳＲ）を伝送してもよい。ＳＲは、物理アップリンク制御チャネルＰＵＣＣＨ上で、オン／オフ・キーイングを使用する。アクセスデバイスは、アップリンク周期の間、ＳＲを監視し、本周期の間、ＳＲが受信されない場合、ＵＡが、ＵＡのバッファ内に伝送のためのアップリンクデータを有していないことを認識するようにプログラムされ、アクセスデバイスは、ＢＳＲ配信のためのアップリンク周期の許可を失う。
【００１０】
配分された周期の間、ＳＲ信号が検出されると、アクセスデバイスは、ＵＡが、より多くのアップリンクリソースを要求していると仮定し、ＢＳＲ配信のためのアップリンクリソースを許可する。ＢＳＲ配信のためのアップリンクリソースが、ＵＡで受信された後、ＵＡは、配分されたリソースを使用して、ＢＳＲをアクセスデバイスに伝送する。ＢＳＲが配信された後、アクセスデバイスは、バッファされたデータを配信するために要求されるさらなるアップリンクリソースを識別し、バッファされたデータの伝送のための付加的アップリンクリソースを許可してもよい。
【００１１】
最新バージョンのＥ−ＵＴＲＡＮでは、拡張アップリンクチャネルが、スケジューリング機構および合成型自動再送要求要求（ＨＡＲＱ）方式をサポートするために提供される。ＨＡＲＱの実施例は、３ＧＰＰ  ＴＳ３６．３２１に規定されており、参照することによって、本明細書に組み込まれる。ＨＡＲＱ方式は、Ｅ−ＵＴＲＡＮでは、アップリンクおよびダウンリンクの両方において使用される。例えば、ダウンリンク伝送例を挙げると、受信される各プロトコルデータユニット（ＰＤＵ）に対して、肯定応答（ＡＣＫ）が、ＵＡによって行われる巡回冗長検査（ＣＲＣ）が、復号化の成功を示した後、物理アップリンク制御チャネル（ＰＵＣＣＨ）またはＰＵＳＣＨ上で、ＵＡからアクセスデバイスに伝送される。ＣＲＣが、ＰＤＵが正しく受信されていないことを示す場合、ＵＡは、誤って受信したＰＤＵの再送を要求するために、ＰＵＣＣＨまたはＰＵＳＣＨ上で、否定応答（ＮＡＣＫ）を伝送する。
【００１２】
アップリンク伝送の場合、ＨＡＲＱ方式は、若干複雑であって、物理ＨＡＲＱ指標チャネル（ＰＨＩＣＨ）上での肯定および否定応答に加え、新しい伝送許可、再送許可を伴う、またはＰＤＣＣＨ上にデータが存在せず、ＵＡ挙動は、ＰＤＣＣＨおよびＰＨＩＣＨチャネルの両方を介して受信したデータに依存する。
【００１３】
ＵＡからアクセスデバイスへのアップリンク伝送を促進するために、アクセスデバイスおよびＵＡは、ＵＡとアクセスポイントとの間の距離にかかわらず、エラーに対する許容限度で、ある時間に伝送がアクセスデバイスに到達するように、伝送タイミングを調節する必要がある。本目的を達成するために、アクセスデバイスは、伝送タイミング調節が必要とされる時、または周期的に、ＭＡＣ制御要素として、時間前進値を含む、時間整合（ＴＡ）コマンドを送信し（３ＧＰＰ  ＴＳ３６．３２１のセクション５．２および６．１．３．５参照）、ＵＡは、時間整合（ＴＡ）タイマを作動させる。ＴＡコマンドが受信されると、ＵＡは、受信したＴＡ値を適用し、ＴＡタイマを再開する。ＴＡタイマが切れる場合、ＵＡは、アップリンク時間整合またはアップリンク同期が喪失されたことを認識し、制御チャネルリソース（例えば、ＰＵＣＣＨまたはＳＲＳリソース）を解放する。サウンディング参照信号（ＳＲＳ）は、ＵＡからアクセスデバイスに伝送され、アップリンクチャネルの質に関する情報を提供する。ＰＵＣＣＨおよびＳＲＳは、３ＧＰＰ  ＴＳ３６．２１１に説明されており、参照することによって、本明細書に組み込まれる。アップリンク同期とは、ＵＡが、アップリンク時間整合を維持することを意味する。
【００１４】
データが、ＵＡからアクセスデバイスに、またはその逆に、伝送される必要がある場合は常時、伝送が生じ得るように、迅速にリソースを配分することが、非常に重要であって、業界は、常に、配分プロセスにおける不必要なステップを排除するために方法を模索している。解決のために、いくつかのプロセスステップを必要する状況の１つは、制御チャネルリソースが解放され、新しいランダムアクセスプロセスが行わなければならないように、ＴＡタイマが切れる時に、アップリンク同期が喪失される場合である。
【００１５】
アップリンク同期は、意図的またはエラーを介して、喪失され得る。意図的喪失の場合、アクセスデバイスは、通信チャネルの最適使用を促進するようにプログラムされる。チャネルを最適に使用するための方法の１つは、ＵＡが、リソース配分を正当化するために十分なトラフィックを生成していない場合、配分されたリソース（例えば、ＰＵＣＣＨおよびＳＲＳリソース）をＵＡに解放させることである。ＵＡにリソースを解放させるために、アクセスデバイスは、ＵＡへのＴＡコマンドの送信を停止し、それによって、ＵＡに任意の明示的信号伝達を伴わずに、ＵＡのために構成される、アップリンク制御リソースをＵＡに解放させてもよい。
【００１６】
エラーを介したアップリンク同期の喪失の場合、ノイズのあるチャネル上では、ＴＡコマンドは、ＵＡに到達しない場合があるが、アクセスデバイスは、ＡＣＫ確認配信を誤って感知し得る。ここでは、ＵＡのＴＡタイマが、次のＴＡコマンドの受信前に切れる場合、ＵＡは、アップリンク同期を喪失し、制御チャネルリソースを解放可能である。
【００１７】
ＵＡがリソースを解放後、ＵＡは、アクセスデバイスにデータを伝送する必要があり得る。例えば、アクセスデバイスにおけるＮＡＣＫ−ＡＣＫエラーによって、同期が喪失されているが、データが、ＵＡのアップリンクバッファ内に常駐している場合、ＵＡは、アクセスデバイスにデータを直ちに伝送する必要があるであろう。別の事例として、ＵＡが、新しいアップリンクデータを受信する場合、ＵＡは、アクセスデバイスにデータを伝送する必要があるであろう。同様に、ＵＡがリソースを解放後、アクセスデバイスは、ＵＡにデータを伝送する必要があり得る。ここでは、アクセスデバイスは、新しいダウンリンクデータ到達通知をＵＡに伝送し、ＵＡは、前述のように、ランダムアクセスプロシージャを開始することによって応答する。
【００１８】
ランダムアクセスプロシージャが完了後、参照することにより本明細書中に援用される、３ＧＰＰ  ＴＳ３６．３３１に規定されるように、アクセスデバイスが、アップリンク同期が喪失されるように、ＴＡタイマを意図的に切らせ、続いて、ＵＡが、アクセスデバイスへの伝送のための新しいアップリンクデータを受信する場合、または続いて、アクセスデバイスが、ＵＡに伝送される新しいダウンリンクデータを受信する場合、アクセスデバイスは、ＲＲＣ接続再構成メッセージをＵＡに送信し、ＵＡは、ＲＲＣ接続再構成完了メッセージによって返信し、データ転送開始前に、リソースの再割当を行う。
【００１９】
したがって、アップリンク同期喪失後、アップリンク同期を再確立するためのプロセスステップの数と、同期を再確立するために必要とされるデータ伝送量と、を低減させることが可能なシステムを有することは、有利となるであろう。
【発明の概要】
【課題を解決するための手段】
【００２０】
ＴＡタイマ周期が切れた後、アクセスデバイスが、ＵＡが時間同期を喪失したことを把握せず、適切な通信のための時間同期に依存する、アップリンクリソースを含む、リソースを再構成するために、ＵＡに構成メッセージを伝送し得ることが認識されている。ここでは、現在のＵＡは、再構成するために、構成メッセージ情報を使用するようにプログラムされており、これは、セル内干渉につながり得る。セル内干渉を排除または実質的に低減させるために、本開示は、いくつかの異なるプロセスについて論じる。第１のプロセスによると、ＵＡが、構成メッセージの受信に先立って、アクセスデバイスと時間同期されていないと、ＵＡは、単に、構成メッセージを無効として識別し、それに応答せず、メッセージまたはメッセージ情報を記憶しないことによって、構成メッセージを無視するようにプログラムされてもよい。他のプロセスによると、ＵＡが、構成メッセージの受信に先立って、時間同期されていないと、ＵＡは、構成メッセージの一部またはメッセージの一部を記憶し、直ちにまたはＵＡを再同期するためのトリガイベント（例えば、ＵＡデータバッファ内への新しいデータの受信）後、ＲＡＣＨプロシージャを開始するようにプログラムされてもよい。時間同期が回復された後、ＵＡは、記憶された構成メッセージ情報を使用して、制御チャネル通信のために、ＵＡを構成してもよい。
【００２１】
したがって、前述および関連目的を達成するために、本開示は、以下に詳述される特徴を備える。以下の説明および付随の図面は、本発明の詳細なある例証的側面を説明する。しかしながら、これらの側面は、本開示の原理を採用可能な種々の方法を示すものであるが、それらのいくつかにすぎない。本開示の他の側面、利点、および新規特徴は、図面と照らして検討されることによって、以下の本開示の発明を実施するための形態から明白となるであろう。
【００２２】
ここで、付随の図面を参照して、本開示の種々の側面を説明し、類似番号は、全体を通して、類似または対応要素を指す。しかしながら、図面およびそれに関連する詳細な説明は、請求された主題を開示される特定の形態に限定することを目的としないことを理解されたい。むしろ、請求された主題の精神および範囲内にある、全ての修正、同等物、および代替案を網羅することが意図される。
【００２３】
本明細書で使用されるように、用語「構成要素」、「システム」、および同等物は、ハードウェア、ハードウェアおよびソフトウェアの組み合わせ、ソフトウェア、または実行中のソフトウェアのいずれかである、コンピュータ関連エンティティを指すことを目的とする。例えば、構成要素は、プロセッサ上で作動するプロセス、プロセッサ、オブジェクト、実行ファイル、実行のスレッド、プログラム、および／またはコンピュータであってもよいが、それらに限定されない。例証として、コンピュータ上で起動するアプリケーションおよびコンピュータは両方とも、構成要素であり得る。１つ以上の構成要素は、プロセスおよび／または実行のスレッド内に常駐してもよく、構成要素は、１つのコンピュータ上に局在してもよく、および／または２つ以上のコンピュータ間で分散されてもよい。
【００２４】
用語「例示的」とは、本明細書では、実施例、事例、または例証としての機能を果たすことを意味するために使用される。「例示的」として本明細書に説明される任意の側面または設計は、必ずしも、他の側面または設計よりも好ましい、あるいは有利であると解釈されるものではない。
【００２５】
さらに、開示された主題は、標準的プログラミングおよび／またはエンジニアリング技術を使用して、ソフトウェア、ファームウェア、ハードウェア、またはそれらの任意の組み合わせを生産し、コンピュータまたはプロセッサベースのデバイスを制御し、本明細書に詳述される側面を実装するように、システム、方法、装置、または製造品として実装されてもよい。用語「製造品」（または代替として、「コンピュータプログラム製品」）は、本明細書で使用されるように、任意のコンピュータ可読デバイス、搬送波、または媒体からアクセス可能なコンピュータプログラムを包含することを目的としている。例えば、コンピュータ可読メディアとして、磁気記憶デバイス（例えば、ハードディスク、フロッピー（登録商標）ディスク、磁気ストリップ．．．）、光ディスク（例えば、コンパクトディスク（ＣＤ）、デジタル多用途ディスク（ＤＶＤ）．．．）、スマートカード、およびフラッシュメモリデバイス（例えば、カード、スティック）を挙げることができるが、それらに限定されない。加えて、搬送波は、電子メールを送受信する際、あるいはインターネットまたはローカルエリアネットワーク（ＬＡＮ）等のネットワークにアクセスする際に使用されるもの等、コンピュータ可読電子データを搬送するために採用できることを理解されたい。当然ながら、当業者であれば、請求された主題の範囲または精神から逸脱することなく、多くの修正が本構成に成されてもよいことを認識するであろう。
【００２６】
本明細書に説明される少なくともいくつかの実施形態は、通信システム内における方法を含み、構成メッセージは、ユーザエージェントにおいて受信され、ユーザエージェントが、どのようにアクセスデバイスと通信するように構成されるべきかを示す情報を含み、方法は、ユーザエージェントにおいて、構成メッセージをアクセスデバイスから受信するステップと、ユーザエージェントにおけるアップリンク時間同期は、構成メッセージが受信される時、喪失される場合、ユーザエージェントを構成し、アクセスデバイスと通信するために、構成メッセージ情報を使用する以外のプロセスを行なうステップと、を備える。
【００２７】
ある場合には、無線リソース制御（ＲＲＣ）接続再構成メッセージを受信するステップを含む。ある場合には、プロセスは、構成メッセージを無視するステップを含む。ある場合には、プロセスは、ＲＡＣＨプロシージャを開始し、同期を回復するステップを含む。ある場合には、プロセスはさらに、アップリンク制御チャネル構成メッセージを否認するステップを含む。ある場合には、構成メッセージは、アップリンク制御チャネル構成情報および他のＵＡ構成情報を含み、プロセスを行なうステップはさらに、他のＵＡ構成情報を構成メッセージから抽出するステップと、他のＵＡ構成情報をＵＡに適用し、ＵＡを構成するステップと、を含む。
【００２８】
いくつかの実施形態はさらに、構成メッセージをＵＡに記憶するステップと、ＲＡＣＨプロシージャを介して、時間同期が回復された後、記憶された構成メッセージ情報を使用して、アクセスデバイスとの通信のために、ＵＡを構成するステップと、を含む。ある場合には、プロセスを行なうステップは、構成メッセージをＵＡに記憶するステップを含む。ある場合には、プロセスを行なうステップはさらに、ＲＡＣＨプロシージャを始動し、同期を回復するステップを含む。
【００２９】
ある場合には、プロセスを行なうステップはさらに、ＲＡＣＨプロシージャを介して、時間同期が回復された後、記憶された構成メッセージ情報を使用して、アクセスデバイスとの通信のために、ＵＡを構成するステップを含む。ある場合には、プロセスを行なうステップはさらに、ＲＡＣＨプロシージャを開始するために、トリガイベントを待機するステップと、トリガイベントが生じると、ＲＡＣＨプロシージャを始動し、ＵＡ時間同期を回復するステップと、を含む。ある場合には、プロセスを行なうステップは、構成メッセージ情報の少なくとも一部をＵＡに記憶するステップと、アクセスデバイスとのＵＡ時間同期を回復するステップと、時間同期が回復された後、記憶された構成メッセージ情報の少なくとも一部を使用して、アクセスデバイスと通信するために、ＵＡを構成するステップと、を含む。ある場合には、プロセスを行なうステップは、アクセスデバイスとの時間同期を回復するステップと、応答メッセージをアクセスデバイスに伝送するステップと、を含む。
【００３０】
他の実施形態は、通信システム内における装置を含み、構成メッセージは、ユーザエージェントにおいて受信され、ユーザエージェントが、どのようにアクセスデバイスと通信するように構成されるべきかを示す情報を含み、装置は、構成メッセージをアクセスデバイスから受信するステップと、ユーザエージェントにおけるアップリンク時間同期が、構成メッセージが受信される時、喪失される場合、ユーザエージェントを構成し、アクセスデバイスと通信するために、構成メッセージ情報を使用する以外のプロセスを行なうステップと、を行なうようにプログラムされたプロセッサを含む、ユーザエージェントを備える。
【００３１】
ある場合には、受信ステップは、ＲＲＣ接続再構成メッセージを受信するステップを含む。ある場合には、プロセスは、構成メッセージを無視するステップを含む。ある場合には、プロセスは、ＲＡＣＨプロシージャを開始し、同期を回復するステップを含む。ある場合には、プロセスはさらに、アップリンク制御チャネル構成メッセージを否認するステップを含む。
【００３２】
ある場合には、構成メッセージは、アップリンク制御チャネル構成情報および他のＵＡ構成情報を含み、プロセスを行なうステップはさらに、他のＵＡ構成情報を構成メッセージから抽出するステップと、他のＵＡ構成情報をＵＡに適用し、ＵＡを構成するステップと、を含む。いくつかの実施形態はさらに、構成メッセージをＵＡに記憶するステップと、ＲＡＣＨプロシージャを介して、時間同期が回復された後、記憶された構成メッセージ情報を使用して、アクセスデバイスとの通信のために、ＵＡを構成するステップと、を含む。
【００３３】
ある場合には、プロセスを行なうステップは、構成メッセージをＵＡに記憶するステップを含む。ある場合には、プロセスを行なうステップはさらに、ＲＡＣＨプロシージャを始動し、同期を回復するステップを含む。ある場合には、プロセスを行なうステップはさらに、ＲＡＣＨプロシージャを介して、時間同期が回復された後、記憶された構成メッセージ情報を使用して、アクセスデバイスとの通信のために、ＵＡを構成するステップを含む。ある場合には、プロセスを行なうステップはさらに、ＲＡＣＨプロシージャを開始するために、トリガイベントを待機するステップと、トリガイベントが生じると、ＲＡＣＨプロシージャを始動し、ＵＡ時間同期を回復するステップと、を含む。ある場合には、プロセスを行なうステップは、構成メッセージ情報の少なくとも一部をＵＡに記憶するステップと、アクセスデバイスとのＵＡ時間同期を回復するステップと、時間同期が回復された後、記憶された構成メッセージ情報の少なくとも一部を使用して、アクセスデバイスと通信するために、ＵＡを構成するステップと、を含む。ある場合には、プロセスを行なうステップは、アクセスデバイスとの時間同期を回復するステップと、応答メッセージをアクセスデバイスに伝送するステップと、を含む。
【００３４】
いくつかの実施形態は、通信システム内における方法を含み、構成メッセージは、ユーザエージェントに伝送され、ユーザエージェントが、どのようにアクセスデバイスと通信するように構成されるべきかを示す情報を含み、方法は、アクセスデバイスにおいて、構成メッセージをユーザエージェントに伝送するステップと、構成メッセージが、ユーザエージェントによって受信される時、ユーザエージェントが、アクセスデバイスとの同期を欠いていることを判定するステップと、構成メッセージが受信された時、ユーザエージェントが、同期を欠いている場合、構成メッセージが、ユーザエージェントにおいて受信されたことを示す、アクセスデバイスからの応答メッセージを待機するステップと、を備える。
【００３５】
いくつかの実施形態は、通信システム内における方法を含み、ユーザエージェントにおいて、構成メッセージをアクセスデバイスから受信するステップと、ユーザエージェントにおけるアップリンク時間同期が、構成メッセージが受信される時、喪失される場合、構成メッセージ情報の少なくとも一部を使用して、ユーザエージェントを構成するステップと、時間同期が回復された後、アクセスデバイスと通信するステップと、を備える。
【００３６】
ある場合には、ユーザエージェントにおけるアップリンク時間同期は、時間整合タイマが切れるまたは起動していないことに基づいて、喪失されていると判定される。ある場合には、構成メッセージは、少なくとも１つのアップリンク制御チャネルリソースの構成を含み、アクセスデバイスと通信するステップは、構成メッセージと関連付けられた制御チャネルリソースを使用して、アクセスデバイスに伝送するステップを含む。
【００３７】
いくつかの実施形態は、通信システム内における方法を含み、ユーザエージェントにおいて、構成メッセージをアクセスデバイスから受信するステップと、ユーザエージェントにおけるアップリンク時間同期が、構成メッセージが受信される時、喪失される場合、時間同期が回復された後、構成メッセージ情報の少なくとも一部を使用して、ユーザエージェントを構成するステップと、メッセージ内で受信された構成を使用して、アクセスデバイスと通信するステップと、を備える。
【００３８】
いくつかの実施形態は、通信システム内における方法を含み、構成メッセージは、ユーザエージェントにおいて受信され、ユーザエージェントが、どのようにアクセスデバイスと通信するように構成されるべきかを示す情報を含み、方法は、ユーザエージェントにおいて、構成メッセージをアクセスデバイスから受信するステップと、ユーザエージェントにおけるアップリンク時間同期が、構成メッセージが受信される時、喪失される場合、構成メッセージ情報を使用して、ユーザエージェントを構成するステップと、時間同期が回復されるまで、アクセスデバイスとの通信を保留するステップと、を備える。
【００３９】
ある場合には、ユーザエージェントにおけるアップリンク時間同期は、時間整合タイマが切れるまたは起動していないことに基づいて、喪失されていると判定される。ある場合には、構成メッセージは、少なくとも１つのアップリンク制御チャネルリソースの構成を含み、アクセスデバイスと通信するステップは、構成メッセージと関連付けられた制御チャネルリソースを使用して、アクセスデバイスに伝送するステップを含む。
【００４０】
いくつかの実施形態は、通信システム内で使用するための装置を含み、装置は、構成メッセージをアクセスデバイスから受信するステップと、ユーザエージェントにおけるアップリンク時間同期が、構成メッセージが受信される時、喪失される場合、構成メッセージ情報の少なくとも一部を使用して、ユーザエージェントを構成するステップと、時間同期が回復された後、アクセスデバイスと通信するステップと、を行なうようにプログラムされたプロセッサを含む、ユーザエージェントを備える。
【００４１】
ある場合には、ユーザエージェントにおけるアップリンク時間同期は、時間整合タイマが切れるまたは起動していないことに基づいて、喪失されていると判定される。ある場合には、構成メッセージは、少なくとも１つのアップリンク制御チャネルリソースの構成を含み、アクセスデバイスと通信するステップは、構成メッセージと関連付けられた制御チャネルリソースを使用して、アクセスデバイスに伝送するステップを含む。
【００４２】
なおも他の実施形態は、通信システムと併用するための装置を含み、装置は、構成メッセージをアクセスデバイスから受信するステップと、ユーザエージェントにおけるアップリンク時間同期が、構成メッセージが受信される時、喪失される場合、時間同期が回復された後、構成メッセージ情報の少なくとも一部を使用して、ユーザエージェントを構成するステップと、メッセージ内で受信された構成を使用して、アクセスデバイスと通信するステップと、を行なうようにプログラムされたプロセッサを含む、ユーザエージェントを備える。
【００４３】
他の実施形態は、通信システムと併用するための装置を含み、構成メッセージは、ユーザエージェントにおいて受信され、ユーザエージェントが、どのようにアクセスデバイスと通信するように構成されるべきかを示す情報を含み、装置は、構成メッセージをアクセスデバイスから受信するステップと、ユーザエージェントにおけるアップリンク時間同期が、構成メッセージが受信される時、喪失される場合、構成メッセージ情報を使用して、ユーザエージェントを構成するステップと、時間同期が回復されるまで、アクセスデバイスとの通信を保留するステップと、を行なうようにプログラムされたプロセッサを含む、ユーザエージェントを備える。
【００４４】
ある場合には、ユーザエージェントにおけるアップリンク時間同期は、時間整合タイマが切れるまたは起動していないことに基づいて、喪失されていると判定される。ある場合には、構成メッセージは、少なくとも１つのアップリンク制御チャネルリソースの構成を含み、アクセスデバイスと通信するステップは、構成メッセージと関連付けられた制御チャネルリソースを使用して、アクセスデバイスに伝送するステップを含む。
【図面の簡単な説明】
【００４５】
本開示をより完全に理解するために、添付の図面および発明を実施するための形態と併せて理解される、以下の簡単な説明を参照し、類似参照数字は、類似部品を表す。
【図１】図１は、ユーザエージェント（ＵＡ）と、アクセスデバイスと、移動性管理エンティティ（ＭＭＥ）と、を含む、無線通信システムの図である。
【図２】図２は、ＵＡとアクセスデバイスとの間の通信シーケンスを例証する、概略図である。
【図３】図３は、図２に類似するが、アップリンク同期が喪失されるが、データがＵＡのアップリンクバッファ内にある場合は常時、ＵＡは、通常ＢＳＲを自動的にトリガする、異なる通信シーケンスを例証する。
【図４】図４は、ＴＡタイマが切れた後も、データが、ＵＡのアップリンクバッファ内に依然として存在する時、アップリンクをアクセスデバイスと再同期させるために、図１のＵＡによって行われる方法またはプロセスを例証する、流れ図である。
【図５】図５は、ＵＡとのアップリンク通信が喪失されると、再同期させるために、図１のアクセスデバイスによって行われる方法またはプロセスを例証する、流れ図である。
【図６】図６は、図２に類似するが、異なる通信シーケンスを例証する。
【図７】図７は、図２に類似するが、異なる通信シーケンスを例証する。
【図８】図８は、本開示の種々の実施形態のうちのいくつかに対して、動作可能なユーザエージェントを含む、無線通信システムの図である。
【図９】図９は、本開示の種々の実施形態のうちのいくつかに対して、動作可能なユーザエージェントのブロック図である。
【図１０】図１０は、本開示の種々の実施形態のうちのいくつかに対して、動作可能なユーザエージェント上に実装され得る、ソフトウェア環境の図である。
【図１１】図１１は、本開示の種々の実施形態のうちのいくつかに対して、好適な例証的汎用コンピュータシステムである。
【図１２】図１２は、通信システム内のセル内干渉を低減させるために使用され得る、１つの方法を例証する、流れ図である。
【図１３】図１３は、別の実施形態と一致する、図１２に示されるプロセスの一部を置換するために使用され得る、サブプロセスを例証する、流れ図である。
【図１４】図１４は、別の実施形態と一致する、図１２に示される、プロセスの一部を置換するために使用され得る、サブプロセスを例証する、流れ図である。
【図１５】図１５は、さらに別の実施形態と一致する、図１２に示される、プロセスの一部を置換するために使用され得る、サブプロセスを例証する、流れ図である。
【図１６】図１６は、別の実施形態と一致する、図１２に示される、プロセスの一部を置換するために使用され得る、サブプロセスを例証する、流れ図である。
【発明を実施するための形態】
【００４６】
次に、図面（同一参照番号は、いくつかの図を通して、類似要素に対応する）、より具体的には、図１を参照すると、図１は、長期発展型（ＬＴＥ）制御プレーンプロトコルスタックを例証する、概略ブロック図を含む。
【００４７】
ＵＡ１０は、アクセスデバイス（すなわち、発展型ノードＢ）１２と、移動性管理エンティティ（ＭＭＥ）１４の両方と通信する。種々の層が、制御プレーンプロトコルスタック内に例証される。非アクセス階層（ＮＡＳ）層１５は、移動性およびセッション管理に対処してもよい。パケットデータ収斂プロトコル（ＰＤＣＰ）層１６は、ＵＡ１０およびアクセスデバイス１２の両方上に例証される。ＰＤＣＰ層１６は、インターネットプロトコル（ＩＰ）ヘッダ圧縮および解凍、ユーザおよび信号伝達データの暗号化、ユーザデータの転送、ならびに無線伝送路のためのシーケンス番号（ＳＮ）の維持を行う。
【００４８】
ＰＤＣＰ層１６の下は、アクセスデバイス１２上の無線リンク制御プロトコル層と通信する、無線リンク制御（ＲＬＣ）プロトコル層１８である。理解されるように、通信は、図１に例証されるもの等、プロトコルスタック内の物理層を通して生じる。しかしながら、ＵＡのＲＬＣ層１８からのＲＬＣ−プロトコルデータユニット（ＰＤＵ）は、アクセスデバイス１２上のＲＬＣ層によって解釈される。ＲＬＣ層１８の下は、媒体アクセス制御（ＭＡＣ）データ通信プロトコル層２０である。当業者によって理解されるように、ＲＬＣおよびＭＡＣプロトコルは、ＬＴＥ無線インターフェースのデータリンク副層を形成し、ＬＴＥ内のアクセスデバイス１２上およびＵＡ１０上に常駐する。物理層２２と称される層１（Ｌ１）ＬＴＥは、ＲＬＣ／ＭＡＣ層１８および２０下にあって、標識が含意するように、通信のための物理層である。
【００４９】
依然として図１を参照すると、制御プレーンは、ＵＡ１０とアクセスデバイス１２との間の無線リソースの割当、構成、および解放に関与する、プロトコルスタックの一部である、無線リソース制御（ＲＲＣ）プロトコル層２４を含む。ＬＴＥのためのＲＲＣプロトコルの基礎機能は、３ＧＰＰＴＲ３６．３００およびＴＳ３６．３３１に説明されている。
【００５０】
アクセスデバイス１２は、以下の機能を担う：無線リソース管理；無線伝送路制御、無線許可制御、接続移動性制御、アップリンクおよびダウンリンクの両方におけるＵＡへのリソースの動的配分（スケジューリング）；ＩＰヘッダ圧縮およびユーザデータストリームの暗号化；ＵＡアタッチメントにおけるＭＭＥの選択；サービングゲートウェイへのユーザプレーンデータのルーティング；ページングメッセージ（ＭＭＥから派生）のスケジューリングおよび伝送；放送情報のスケジューリングおよび伝送；ならびに移動性およびスケジューリングのための測定および測定報告構成。
【００５１】
ＭＭＥ１４は、以下の機能を担う：アクセスデバイス１２へのページングメッセージの配信；セキュリティ制御；アイドル状態移動性制御；システムアーキテクチャエボリューション（ＳＡＥ）伝送路制御；非アクセス階層（ＮＡＳ）信号伝達の暗号化および完全性保護。
【００５２】
依然として図１を参照すると、本開示の少なくともいくつかの実施形態では、ＵＡ１０は、有利には、同期が喪失された後、アクセスデバイス１２とのアップリンク通信を再同期するための肯定的ステップを講じることが可能である。本目的を達成するために、図２を参照すると、ＵＡ１０とアクセスデバイス１２との間の例示的一連の通信が、例証される。図２では、下方を指す矢印９６および９８は、ＴＡタイマ周期を表す。１００では、ＴＡコマンドが、アクセスデバイス１２からＵＡ１０に伝送される。コマンド１００が、１０１において受信されると、ＵＡ１０は、ＴＡコマンド内のＴＡ値を適用し、ＴＡタイマを再開し（９６参照）、１０２において、ＡＣＫをアクセスデバイス１２に伝送する。
【００５３】
依然として図２を参照すると、１０４において、別のＴＡコマンドがＵＡ１０に伝送される。しかしながら、この時、ＴＡコマンドは、正しく受信されておらず、したがって、ＴＡデータを使用して、ＴＡタイマをリセットすることができず、タイマは、時間切れまで継続する。ＴＡコマンドが、適切に受信されなかったため、ＵＡ１０は、１０５において、ＰＤＵが再伝送されるべきであることを示す、ＮＡＣＫをアクセスデバイス１２に返信する。１０９では、アクセスデバイス１２は、ＮＡＣＫを受信し、１０８において、ＴＡコマンドが、ＵＡ１０に折り返し再伝送される。１０７では、ＴＡコマンドが受信され、ＵＡ１０は、ＴＡコマンド内のＴＡ値を適用し、ＴＡタイマを再開し（９８参照）、再送が正しく受信されたことを示すＡＣＫが、アクセスデバイス１２に返信される。
【００５４】
再び図２を参照すると、１１２では、別のＴＡコマンドが、ＵＡ１０に伝送されるが、再び誤って受信される。１１１では、ＵＡ１０は、アクセスデバイス１２にＮＡＣＫ（１１４）を伝送し、ＴＡコマンドの再送を要求する。しかしながら、この時、アクセスデバイス１２は、ＮＡＣＫ１１４の代わりに、ＡＣＫを誤って検出し、したがって、デバイス１２は、ＵＡ１０にＴＡコマンドを再伝送しない。ＴＡコマンドが受信されないため、ＴＡタイマ９８は、１１６において、タイムアウトまたは切れ、アップリンク同期が喪失される。ここでは、アクセスデバイス１２は、アップリンク同期が喪失されたことを認識せず、実際、ＵＡ１０へのリソース配分が、依然として有効であるかのように、依然として動作する。ＵＡ１０は、ＴＡタイマが切れる時、同期が喪失されたことを認識する。
【００５５】
本開示の少なくともいくつかの実施形態によると、ＵＡのタイマが切れ、アップリンク同期が喪失されるが、データが、アップリンクバッファ内に存在する場合、ＵＡ１０は、アクセスデバイスによって割り当てられたアップリンク制御チャネルリソース構成を記憶し、リソースを解放し、アップリンクスケジューリング伝送（例えば、ＢＳＲ）を直ちにトリガし、アクセスデバイス１２に、アップリンク同期を再確立し、伝送するためのデータ量を報告させるようにプログラムされる。この目的を達成するために、ＵＡは、ランダムアクセスプロセスを開始し、アクセスデバイス１２からのＲＡ応答に応答して、アップリンクスケジューリング伝送を伝送する。ＵＡ１０は、アップリンクスケジューリング伝送において、アクセスデバイスによって、ＵＡに現在割り当てられているセル無線ネットワーク端末識別子（Ｃ−ＲＮＴＩ）を含む。アクセスデバイス１２が、アップリンクスケジューリング伝送を受信すると、アクセスデバイス１２は、Ｃ−ＲＮＴＩを識別し、Ｃ−ＲＮＴＩと関連付けられたＵＡが、ＳＲリソース配分を現在有しているかどうかを認識するようにプログラムされる。ＵＡが、ＳＲリソース配分を現在有し、ＳＲリソース配分の代わりに、ＲＡＣＨを使用している場合、アクセスデバイス１２は、ＵＡが、アップリンク同期を喪失し、かつ現在も喪失していることを認識する。アクセスデバイス１２は、Ｃ−ＲＮＴＩと関連付けられたＵＡに配分されたアップリンク制御チャネルリソースが、依然として有効であるかどうかを判定し、そうである場合、配分が、依然として有効であって、ＵＡ１０によって使用され、他のデータ、例えば、サウンディング参照信号と、スケジューリング要求と、チャネル品質指標（ＣＱＩ）、ランク指標（ＲＩ）、およびプリコーディング行列指標（ＰＭＩ）を含む、チャネル品質状態情報と、準定常スケジューリングの場合、ＡＣＫ／ＮＡＣＫフィードバックを伝送すべきであることの指標とともに、ＵＡ１０にアップリンク許可を伝送する。次いで、ＵＡは、記憶されたアップリンクリソース構成を使用し、以前に解放されたリソースを識別し、今後の通信のために、それらのリソースの使用を開始する。
【００５６】
前述と一致して、図３を参照すると、図２に例証される一連のものと類似する一連の通信が、示される。図３では、図２におけるように、下方を指す矢印１１８および１３２は、ＴＡタイマ周期を表す。ここでは、ＵＡ１０は、前述の実施例におけるように、セル内のＵＡを一意的に識別する、セル無線ネットワーク端末ＩＤ（Ｃ−ＲＮＴＩ）と既に関連付けられていると仮定する。
【００５７】
図３では、１２０において、ＴＡコマンドが、ＵＡ１０に伝送されるが、誤って受信される。１２１では、ＵＡ１０は、ＮＡＣＫ１２２をアクセスデバイス１２に返信し、ＴＡコマンドが再送されるべきであることを示す。ＮＡＣＫ１２２は、ＡＣＫとして誤って検出され、したがって、アクセスデバイス１２は、ＴＡコマンドをＵＡ１０に再送しない。１２３では、ＴＡタイマ周期１１８が、切れる。
【００５８】
タイマが切れる時、ＵＡ１０は、リソースを解放する前に、アクセスデバイスによって割り当てられたアップリンク制御チャネルリソースの構成を記憶する。次いで、ＵＡ１０は、ＲＡＣＨを介して、ＲＡプリアンブルをアクセスデバイス１２に伝送することによって、ランダムアクセスプロセスを開始する。ＲＡプリアンブルに応じて、アクセスデバイス１２は、ＲＡ応答１２６をＵＡ１０に伝送する（応答は、ＲＡプリアンブルのためのＲＡプリアンブル識別子、アップリンク（ＵＬ）タイミング同期を調節するタイミング前進（ＴＡ）情報、後続メッセージを伝送するために配分されたＵＬリソースを示す許可情報、およびランダムアクセスプロシージャの際、一時的ＵＡＩＤとして使用される、一時的Ｃ−ＲＮＴＩを含む。
【００５９】
ＲＡ応答メッセージを受信後、ＵＡ１０は、ＲＡプリアンブル識別子を検証し、検証されたＲＡプリアンブル識別子が、伝送されたＲＡプリアンブルのものである場合、ＵＡは、アップリンクリソースを使用して、アップリンクスケジューリング伝送１２８（例えば、ＢＳＲ）を伝送する（メッセージは、現在割り当てられているＣ−ＲＮＴＩを含む（ＲＡ応答１２６内に含まれていた一時的Ｃ−ＲＮＴＩとは対照的））。
【００６０】
１２９では、アクセスデバイス１２は、Ｃ−ＲＮＴＩを含むはずであったメッセージ１２８が、実際は、現在割り当てられているＣ−ＲＮＴＩを含むことを識別し、ＳＲリソースが、ＵＡ１０に現在配分されているかどうかを判定する。ＳＲリソースが、ＵＡ１０に現在配分されている場合、アクセスデバイス１２は、ＵＡ１０とのアップリンク同期が喪失されていると結論付けるようにプログラムされる（すなわち、スケジューリング要求のためのアップリンクリソースが、ＵＡ１０に割り当てられており、ＵＡ１０が、アップリンク同期を維持していた場合、ＵＡ１０は、ランダムアクセスプロシージャではなく、スケジューリング要求リソースを使用していたことになる）。１３３では、アクセスデバイス１２は、他のデータでもとりわけ、ＵＡ１０のためのリソース配分が、依然として有効であることの指標を含む、競合解決（ＣＲ）メッセージ１３０をＵＡ１０に伝送する。１３１では、ＵＡ１０は、以前に解放されたリソースの記憶された構成にアクセスし、その構成を使用して、後続データ伝送１３７のためのアップリンク制御情報をアクセスデバイス１２に伝送する。
【００６１】
次に図４を参照すると、アップリンク同期が喪失されているが、データが、ＵＡのアップリンクバッファ内に残っている場合、自動的にＢＳＲをトリガするために、ＵＡ１０によって行われるプロセス１５０が、例証される。また、図５を参照すると、ＵＡ１０との再同期するために、アクセスデバイス１２によって行われるプロセス１９０が、例証される。以下、プロセス１５０および１９０が、併せて説明される。また、図１も参照すると、図５のブロック１９２では、アクセスデバイス１２は、ＴＡコマンドを含む、ＰＤＵをＵＡ１０に伝送する。ブロック１９４では、アクセスデバイス１２は、伝送されたＰＤＵに応じて、ＡＣＫまたはＮＡＣＫのいずれかを監視する。
【００６２】
図４では、ブロック１５２において、ＵＡ１０は、アクセスデバイス１２から伝送される、ＰＤＵを監視する。ブロック１５４では、ＰＤＵが受信されると、制御は、ブロック１５６に進み、ＵＡ１０が、ＰＤＵが正しく受信されたかどうかを判定する。ＰＤＵが正しく受信されている場合、制御は、ブロック１６４に進み、ＵＡ１０が、ＡＣＫをアクセスデバイス１２に伝送する。次に、決定ブロック１６６では、ＵＡ１０は、ＰＤＵが、ＴＡコマンドを含むかどうかを判定する。ＰＤＵが、ＴＡコマンドを含まない場合、制御は、ブロック１７０に進み、ＰＤＵが取り込まれ、その後、制御は、ブロック１５２に戻り、次の受信したＰＤＵの監視が行われる。再びブロック１６６を参照すると、受信したＰＤＵが、ＴＡコマンドを含む場合、制御は、ブロック１６８に進み、ＵＡ１０が、ＴＡコマンド内のＴＡ値を適用し、ＴＡタイマを再開し、その後、制御は、ブロック１５２に戻る。
【００６３】
再び図１および４を参照すると、ＰＤＵが、ブロック１５６において、正しく受信されなかった場合、制御は、プロセスブロック１５８に進み、ＵＡ１０が、ＮＡＣＫをアクセスデバイス１２に伝送する。ブロック１６０では、ＵＡ１０が、ＴＡタイマ周期が切れたかどうかを判定する。ＴＡタイマが切れていない場合、制御は、ブロック１５２に戻り、次のＰＤＵの監視が行われる。ブロック１６０では、ＴＡタイマが切れている場合、制御は、ブロック１６２に進み、ＵＡ１０が、データがＵＡのアップリンクバッファ内に存在するかどうかを判定する。ブロック１６２において、データがＵＡのアップリンクバッファ内に存在しない場合、制御は、ブロック１５２に戻る。データがＵＡのアップリンクバッファ内に存在する場合、制御は、ブロック１６２からブロック１７２に進む。ブロック１７２では、ＵＡ１０は、アクセスデバイスによって割り当てられたアップリンク制御チャネルリソースの構成を記憶し、リソースを解放し、ランダムアクセスプロセスを開始し、アップリンクスケジュール伝送、例えば、ＢＳＲをアクセスデバイス１２に伝送する。本目的を達成するために、前述と一致して、ＵＡ１０が、ＲＡプリアンブルをアクセスデバイス１２に伝送すると、ランダムアクセスプロセスが、開始される。ブロック１７４では、ＵＡ１０が、アクセスデバイス１２からのＲＡ応答を監視する。
【００６４】
再び図１および５を参照すると、決定ブロック１９６では、アクセスデバイス１２が、ＡＣＫが受信されたかどうかを判定する。ＡＣＫが受信されていない場合、制御は、決定ブロック２０８に進み、アクセスデバイス１２が、ＮＡＣＫが受信されたかどうかを判定する。ＮＡＣＫが受信されていない場合、制御は、ブロック２０８からブロック１９４に戻り、アクセスデバイス１２が、ＡＣＫまたはＮＡＣＫの監視を継続する。ブロック２０８では、ＮＡＣＫが受信されている場合、制御は、ブロック２１０に進み、アクセスデバイス１２が、ＴＡコマンドを含むＰＤＵをＵＡ１０に再伝送する。
【００６５】
依然として図１および５を参照すると、ブロック１９６では、ＡＣＫが受信されている場合、制御は、プロセスブロック１９８に進み、アクセスデバイス１２が、ＲＡＣＨを監視し、ランダムアクセスプロセスが開始されたかどうかを判定する。決定ブロック２００では、ＲＡプリアンブルが受信されている場合、制御は、ブロック２０２に進み、アクセスデバイス１２が、ＲＡプリアンブル識別子、アップリンクタイミング同期を調節するためのタイミング整合情報、後続メッセージを伝送するために配分されたアップリンクリソースを示す許可情報、および一時的Ｃ−ＲＮＴＩを含む、ＲＡ応答をＵＡ１０に伝送する。ブロック２０４では、ＲＡ応答が伝送された後、アクセスデバイス１２は、配分されたリソースを使用して、ＵＡ１０からのアップリンクスケジューリング伝送を監視する。
【００６６】
再び図１および４を参照すると、ブロック１７６では、ＲＡ応答が受信されると、制御は、ブロック１７８に進み、ＵＡ１０が、ＲＡ応答において配分されたリソースを使用し、第１の、すなわち、初期Ｃ−ＲＮＴＩを含む、スケジューリングされた伝送をアクセスデバイス１２に伝送する。ブロック１８０では、ＵＡ１０が、アクセスデバイス１２からの競合解決メッセージを監視する。
【００６７】
再び図１および５を参照すると、ブロック２０６において、アップリンクスケジューリング伝送が、ＵＡ１０から受信されると、ブロック１１２では、アクセスデバイス１２が、アップリンクスケジューリング伝送がＣ−ＲＮＴＩを含むかどうかを判定する。アップリンクスケジューリング伝送が、Ｃ−ＲＮＴＩを含まない場合、制御は、ブロック２１８に進み、アクセスデバイス１２が、通常の競合解決プロセスを行う。しかしながら、ブロック２１２において、アップリンクスケジューリング伝送が、Ｃ−ＲＮＴＩを含む場合、制御は、ブロック２１３に進む。ブロック２１３では、ＵＡ１０が、ＳＲリソースが受信したＣ−ＲＮＴＩと関連付けられたＵＡに既に配分されているかどうかを判定する。ＳＲリソースが配分されていない場合、制御は、ブロック２１８に進み、通常の競合解決プロセスが行われる。ＳＲリソースが、ＵＡに既に配分されている場合、アクセスデバイス１２は、ＵＡとのアップリンク同期が喪失されていることを認識し、制御は、ブロック２１４に進む。ブロック２１４では、アクセスデバイス１２は、アップリンクスケジューリング伝送内に含まれる、Ｃ−ＲＮＴＩと関連付けられたＵＡのための既存のリソース配分を識別し、その配分（例えば、アップリンク制御情報の伝送のためのリソース）が有効のままであるかどうかを判定する。配分が有効のままではない場合、制御は、ブロック２２０に進み、新しいリソース配分プロセスが行われる。ブロック２１４では、既存のリソース配分が有効のままである場合、制御は、ブロック２１６に進み、アクセスデバイス１２は、既存の配分が有効であることを示す、競合解決メッセージを伝送する。
【００６８】
再び図１および４を参照すると、競合解決メッセージが、ブロック１８２において受信されると、制御は、プロセスブロック１８４に進み、ＵＡ１０が、以前に解放されたリソースが有効であることを識別し、記憶されたリソース構成にアクセスし、そのリソース構成の使用を開始する。ブロック１８４後、制御は、ブロック１５２に戻り、次のＰＤＵのための監視が行われる。
【００６９】
アクセスデバイスがＵＡへのＴＡコマンドの伝送を停止後、ＵＡが、新しいアップリンクデータを取得する場合、したがって、ＵＡが制御チャネルリソースを解放し、ＵＡがランダムアクセスプロセスを開始する時、解放されたリソースが依然として有効であって、ＵＡによる使用のために利用可能である場合、図４および５に関して前述のものに類似するプロセスが行われ、通信を効率的に再開してもよい。本目的を達成するために、図６を参照すると、図２に例証される一連のものと類似する一連の通信が、示される。図６では、図２におけるように、下方を指す矢印２５０および２７０は、ＴＡタイマ周期を表す。ここでは、ＵＡ１０は、セル内のＵＡを一意的に識別する、Ｃ−ＲＮＴＩと既に関連付けられていると仮定する。
【００７０】
図６では、２５２において、ＴＡタイマ周期が切れ、ＵＡ１０が、制御チャネルリソースを解放する。２５４では、新しいアップリンクデータが、ＵＡ１０に到達し、ＵＡ１０が、ＲＡプリアンブルをアクセスデバイス１２に伝送することによって、ランダムアクセスプロセスを開始する。ＲＡプリアンブルに応じて、アクセスデバイス１２は、一時的Ｃ−ＲＮＴＩを含むＲＡ応答２５８をＵＡ１０に伝送する。それに応じて、ＵＡ１０は、ＵＡ１０に現在割り当てられているＣ−ＲＮＴＩを含む、アップリンクスケジューリング伝送２６０をアクセスデバイス１２に伝送する。２６２では、アクセスデバイス１２が、アップリンクスケジューリング伝送２６０が、現在割り当てられているＣ−ＲＮＴＩを含むことを識別し、したがって、ＵＡ１０が、新しいアップリンク伝送の開始を試行しようとしているＵＡであると結論付けるようにプログラムされている。アクセスデバイスは、ＵＡ１０に以前に割り当てられているアップリンク制御チャネルリソースが、利用可能であるかどうか検証する。２６４では、以前に割り当てられたリソースが、利用可能である場合、アクセスデバイス１２は、他のデータの中でもとりわけ、ＵＡのためのリソース配分が、依然として有効であることの指標を含む、競合解決（ＣＲ）メッセージ２６６をＵＡ１０に伝送する。２６８では、ＵＡ１０は、記憶されたアップリンクリソース構成の使用を開始し、後続データ伝送２６９のために、アップリンク制御情報をアクセスデバイス１２に伝送する。
【００７１】
アクセスデバイスが、ＵＡへのＴＡコマンドの伝送を停止後、新しいダウンリンクデータが、アクセスデバイス１２によって受信される場合、したがって、ＵＡが、制御チャネルリソースを解放し、解放されたリソースが、依然として有効であって、ＵＡによる使用のために利用可能である場合、図６に関して前述のものと類似するプロセスが行われ、通信を確立してもよい。本目的を達成するために、図７を参照すると、図６に例証される一連のものと類似する一連の通信が、示される。図７では、図２におけるように、下方を指す矢印２５０および２７０は、ＴＡタイマ周期を表す。ここでは、ＵＡ１０は、セル内のＵＡを一意的に識別する、Ｃ−ＲＮＴＩと既に関連付けられていると仮定する。
【００７２】
図７では、２５２において、ＴＡタイマ周期が切れ、ＵＡ１０が、アップリンク制御チャネルリソースの構成を記憶し、リソースを解放する。２５４では、新しいダウンリンクデータが、アクセスデバイス１２に到達し、アクセスデバイス１２は、新しいダウンリンクデータ到達通知２４０をＵＡ１０に伝送することによって、一連の通信を開始する。ＲＡプリアンブルに応じて、アクセスデバイス１２は、一時的Ｃ−ＲＮＴＩを含むＲＡ応答２５８をＵＡ１０に伝送する。それに応じて、ＵＡ１０は、ＵＡ１０に現在割り当てられているＣ−ＲＮＴＩを含む、アップリンクスケジューリング伝送２６０をアクセスデバイス１２に伝送する。２６２では、アクセスデバイス１２は、アップリンクスケジューリング伝送２６０が、現在割り当てられているＣ−ＲＮＴＩを含むことを識別し、したがって、ＵＡ１０が、ダウンリンクデータ到達通知への応答を試行しているＵＡであると結論付けるようにプログラムされる。アクセスデバイスは、ＵＡ１０に以前に割り当てられているアップリンク制御チャネルリソースが、利用可能であるかどうか検証する。２６４では、以前に割り当てられたリソースが、利用可能である場合、アクセスデバイス１２は、他のデータの中でもとりわけ、ＵＡのためのリソース配分が、依然として有効であることの指標を含む、競合解決（ＣＲ）メッセージ２６６をＵＡ１０に伝送する。２６８では、ＵＡ１０が、記憶されたアップリンクリソース構成の使用を開始し、ＴＡタイマ周期２７０によって示されるように、後続データ伝送２６９のために、アップリンク制御情報をアクセスデバイス１２に伝送する。
【００７３】
ここでは、アクセスデバイス１２が、図７における一連の通信を開始するため、アクセスデバイス１２は、ランダムアクセスプロシージャを開始するＵＡの身元を把握していることを理解されたい。本理由から、少なくともいくつかの実施形態では、競合解決メッセージの一部として、有効配分指標を伝送する代わりに、アクセスデバイス１２は、配分が有効であることを示す、通知２４０の一部として、専用プリアンブル（すなわち、ＵＡ１０専用にアドレス指定されたプリアンブル）を送信することができる。この場合、図７では、プロセスは、２５６において停止し、２６８に進むことが可能である。これらの概念と一致して、再び図７を参照すると、２５２では、ＴＡタイマ周期が切れ、ＵＡ１０が、制御チャネルリソースを解放する。２４０では、新しいダウンリンクデータが、アクセスデバイス１２に到達し、アクセスデバイス１２は、新しいダウンリンクデータを受信するために、ＵＡ１０に以前に割り当てられているアップリンクリソースが、依然として有効であって、利用可能であることを判定する。リソースが利用可能である場合、アクセスデバイス１２は、ＵＡ１０を専用に識別する専用プリアンブルを含み、アップリンクリソースが、利用可能であって、有効であることを示す、新しいダウンリンクデータ到達通知２４０をＵＡ１０に伝送することによって、一連の通信を開始する。専用プリアンブルが受信されると、ＵＡ１０は、記憶されたリソース構成にアクセスし、それらのリソースを使用して、アクセスデバイスとの通信を開始し、図７のプロセスは、通信２５６において、中断可能となる。
【００７４】
いくつかの実施形態では、データが、アップリンクバッファ内に存在または存在しない間、ＵＡのタイマが切れ、アップリンク同期が喪失されると、ＵＡ１０は、アップリンク制御チャネルリソースの少なくとも一部を解放し、新しいデータが到着するのを待機し、次いで、ＲＡＣＨプロシージャを始動するようにプログラムされる。ＵＡが、現在、ＳＲリソース配分を有し、ＳＲリソース配分を使用する代わりに、ＲＡＣＨプロシージャを始動すると、アクセスデバイス１２は、ＵＡが、アップリンク同期を有しかつ喪失したことを認識し、典型的には、ＵＡ１０が解放したアップリンク制御チャネル構成を置換するための構成を含有するであろう、新しいアップリンク制御チャネルリソース構成メッセージ（例えば、ＲＲＣ接続再構成メッセージ）を伝送するようにプログラムされる。
【００７５】
ある場合には、アップリンク同期が喪失された後、かつＵＡバッファ内への新しいデータの到着に先立って、故に、ＲＡＣＨプロシージャの開始（または、完了）に先立って、アクセスデバイス１２は、１つ以上のアップリンク制御チャネルリソースの構成を含有する、構成メッセージ（例えば、ＲＲＣ接続再構成メッセージ）をＵＡ１０に伝送してもよいことが認識されている。同様に、ある場合には、アップリンク同期は、バッファ内にデータが存在する間、喪失され得、故に、ＲＡＣＨプロシージャの開始（または、完了）に先立って、アクセスデバイス１２は、１つ以上のアップリンク制御チャネルリソースの構成を含有する、構成メッセージをＵＡ１０に伝送してもよい。それに応答して、既存のプロトコル（例えば、既存のＬＴＥプロトコル）と一致して、構成メッセージが受信されると、ＵＡ１０は、指定されるサブフレーム上において、構成された制御チャネルリソースを使用して、情報をアクセスデバイス１２に転送するであろう。この場合、アップリンク同期は、ＵＡ１０において喪失されているため、ＵＡ１０が転送した情報が、システム性能全体を劣化させる、セル内干渉を生じさせる、潜在性がある。セル内干渉を排除または実質的に低減させるように設計される、種々の実施形態が、後述される。本明細書に後述される実施形態では、例示的構成メッセージは、ＲＲＣ接続再構成メッセージであってもよく、例示的応答メッセージは、ＲＲＣ接続再構成完了メッセージであってもよい。加えて、少なくともいくつかの実施形態では、１つ以上のアップリンク制御チャネルリソースの構成は、ＳＲＳ、ＣＱＩ、ＰＭＩ、ＲＩ、およびＳＲリソース構成のうちの少なくとも１つを含んでもよい。
【００７６】
図１２を参照すると、セル内干渉を低減させるように設計された第１の実施形態３００では、ブロック３０２において、ＵＡ１０は、アクセスデバイス１２からの構成メッセージを監視する。ブロック３０４では、ＵＡ１０が、構成メッセージが、１つ以上のアップリンク制御チャネルリソースの構成を含有する、構成メッセージをアクセスデバイス１２から受信する場合、制御は、ブロック３０６に進む。ブロック３０６では、時間整合タイマが起動している、したがって、同期が継続している場合、制御は、ブロック３０８に進み、ＵＡ１０は、構成メッセージ情報を使用して、再構成する。ブロック３０６では、時間整合タイマが、切れるまたは起動していないと、ＵＡは、構成メッセージ内のアップリンク制御チャネルリソースを規定する情報が、無効であると判定し、制御は、ブロック３１０に進む。
【００７７】
第１の実施形態の第１のバージョンでは、ブロック３１０において、ＵＡ１０が、構成メッセージ内のアップリンク制御チャネルリソースを規定する情報が無効であると判定すると、ＵＡ１０は、本質的に、構成メッセージを無視する。この目的を達成するために、第１の実施形態の本第１のバージョンでは、ＵＡ１０は、（１）構成メッセージ内に含まれるパラメータを記憶せず、（２）任意の応答を構成メッセージに伝送しない。
【００７８】
第１の実施形態の第２のバージョンでは、ＵＡが、ブロック３０６において、構成メッセージ内のアップリンク制御チャネルリソースを規定する情報が無効であると判定すると、第１のバージョンにおけるように、ＵＡ１０は、（１）構成メッセージ内に含まれるパラメータを記憶せず、（２）任意の応答を構成メッセージに伝送しない。しかしながら、加えて、ＵＡ１０は、ブロック３１２において、ＲＡＣＨプロシージャを始動することによって、ＲＲＣ接続の再確立を試行する（第１の実施形態の第２のバージョンを表す、３０６から３１２への鎖線参照）。
【００７９】
時間整合が回復されると、少なくともいくつかの実施形態では、ＵＡ１０は、応答メッセージをアクセスデバイス１２に伝送し、構成に対応するアップリンク制御チャネルリソースを使用して、アップリンク制御情報の伝送を始動する。
【００８０】
次に、図１３を参照すると、第１の実施形態の第３のバージョンと一致する、図１２に示されるプロセスの一部に対して代用され得る、サブプロセス３２０が、例証される。この目的を達成するために、また、図１２を参照すると、ＵＡが、ブロック３０６において、構成メッセージ内のアップリンク制御チャネルリソースを規定する情報が無効であると判定すると、制御は、図１３におけるブロック３２２に進み、ＵＡ１０は、アップリンク制御チャネルリソースを規定する情報以外の構成メッセージ情報すべてを抽出し、抽出された情報を適用し、ＵＡ１０を構成する。ブロック３２４では、ＵＡ１０は、ＲＡＣＨプロシージャを起動し、同期を回復する。ここでは、アップリンク制御チャネルリソースを規定する情報以外の情報は、時間整合の喪失によって影響を受けず、したがって、問題なく、ＵＡ１０を構成するために使用することができる。時間整合が、ブロック３２６において、回復されると、制御は、ブロック３２８に進み、ＵＡ１０は、ブロック３３０において使用され、アップリンクチャネルを構成する、アップリンク制御チャネルリソースを含む、新しい構成メッセージを受信する。少なくともいくつかの実施形態では、ＵＡ１０は、応答メッセージをアクセスデバイス１２に伝送する。
【００８１】
次に、図１６を参照すると、第１の実施形態の第４のバージョンと一致する、図１２に示されるプロセスの一部に対して代用され得る、サブプロセス４００が、例証される。この目的を達成するために、また、図１２を参照すると、ＵＡが、ブロック３０６において、構成メッセージ内のアップリンク制御チャネルリソースを規定する情報が無効であると判定すると、制御は、図１６におけるブロック４０２に進み、ＵＡ１０は、アップリンク制御チャネルリソースを規定する情報を含む、構成メッセージ情報すべてを抽出する。ＵＡ１０は、ブロック４０４において、アップリンク制御チャネルリソースを規定する情報以外の抽出された情報を適用し、ＵＡ１０を構成する。ここでは、アップリンク制御チャネルリソースを規定する情報以外の情報は、時間整合の喪失によって影響を受けず、したがって、問題なく、ＵＡ１０を構成するために使用することができる。時間整合が、ブロック４０６において回復されると、ブロック４０８において、ＵＡ１０は、応答メッセージをアクセスデバイス１２に伝送し、ブロック４０２において抽出された情報に対応するアップリンク制御チャネルリソースを使用して、アップリンク制御情報の伝送を始動する。
【００８２】
次に、図１４を参照すると、セル内干渉を低減するために設計された第２の実施形態と一致する、図１２に示されるプロセスの一部に対して代用され得る、サブプロセス３４０が、例証される。また、図１２を参照すると、第２の実施形態では、ＵＡ１０が、３０４において、１つ以上のアップリンク制御チャネルリソースの構成を指定する構成メッセージを受信する時、３０６において、時間整合タイマが切れたまたは起動していないと、制御は、ブロック３４２に進み、ＵＡ１０は、アップリンク制御チャネルリソースの構成を記憶する。ブロック３４４では、ＵＡ１０は、時間整合を回復するために、ＲＡＣＨプロシージャを始動する。同期が、３４６において回復されると、少なくともいくつかの実施形態では、ＵＡ１０は、３４８において、記憶された構成情報を使用して、アップリンク制御チャネルリソースを構成し、次いで、構成応答メッセージをアクセスデバイス１２に伝送し、構成されたアップリンク制御チャネルリソースを使用して、アップリンク制御情報の伝送を始動する。
【００８３】
ＵＡ１０は、ランダムアクセス応答メッセージ内でタイミング前進コマンドを受信すると、時間整合タイマを開始または再開する。ＵＡ１０は、本タイマの状態を使用して、アップリンク制御情報を伝送すべきかどうかを判定することができる。時間整合タイマが起動していない場合、ＵＡ１０は、アップリンク制御情報を報告しない。時間整合タイマが起動している場合、ＵＡは、アップリンク制御情報を報告する。
【００８４】
システムのアクセスデバイス側では、アクセスデバイス１２は、構成メッセージをＵＡ１０に伝送後、ＵＡ１０が、ＲＡＣＨプロシージャを始動する時、アップリンクチャネル同期が喪失されたかどうかを判定するようにプログラムされる。アクセスデバイス１２が、同期が喪失されたことを認識すると、アクセスデバイス１２は、ＵＡ１０からの構成応答メッセージの受信を待機する。構成応答メッセージの正常受信に応じて、アクセスデバイス１２は、ＵＡ１０が、同期が喪失されている場合でも、オリジナル構成メッセージを正常に受信したと判定する。プロセスの任意の時点において、アクセスデバイス１２は、構成された制御チャネルリソースを使用して、ＵＡ１０に割り当てられたアップリンク制御チャネルリソース上で受信した制御情報をデコードすることができる。
【００８５】
次に、図１５を参照すると、セル内干渉を低減するように設計された第３の実施形態と一致する、図１２に示されるプロセスの一部に対して代用され得る、サブプロセス３５０が、例証される。また、図１２を参照すると、第３の実施形態では、ＵＡ１０が、３０４において、１つ以上のアップリンク制御チャネルリソースの構成を含有する構成メッセージを受信し、時間整合タイマが、３０６において、切れているまたは起動していないと、制御は、ブロック３５２に進み、ＵＡ１０は、アップリンク制御チャネルリソースの構成を記憶する。ブロック３５４では、ＵＡ１０は、イベントが生じるのを監視／待機し、イベントは、ＲＡＣＨプロシージャを介して、時間整合を回復するように、ＵＡ１０をトリガする。例えば、ＵＡ１０は、ＲＡＣＨプロシージャの始動に先立って、新しいデータ（応答メッセージ以外）がＵＡデータバッファ内に到着するのを待機してもよい。３５６において、イベントが生じると、ＵＡ１２０は、３５８において、ＲＡＣＨプロシージャを始動する。時間整合が、３６０において回復されると、少なくともいくつかの実施形態では、ＵＡ１０は、記憶された構成情報を使用して、アップリンク制御チャネルリソースを構成し、応答メッセージをアクセスデバイス１２に伝送し、アップリンク制御情報の伝送を始動する。
【００８６】
いくつかの実施形態では、ＵＡ１０が、時間整合タイマが切れているまたは起動していない、時間周期の間に受信されたメッセージを正常に受信不可能である場合、ＵＡ１０は、ＨＡＲＱバッファ内に軟値を記憶する。他の実施形態では、ＵＡ１０が、時間整合タイマが切れているまたは起動していない、時間周期の間に受信されたメッセージを正常に受信不可能である場合、ＵＡ１０は、ＨＡＲＱバッファ内に軟値を記憶しない、または対応するＨＡＲＱバッファをフラッシュする。
【００８７】
図８は、ＵＡ１０の例示的実施形態を含む、無線通信システムを例証する。ＵＡ１０は、本開示の側面を実装するために動作可能であるが、本開示は、これらの実装に限定されるべきではない。携帯電話として図示されているが、ＵＡ１０は、無線ハンドセット、ポケットベル、携帯情報端末（ＰＤＡ）、携帯用コンピュータ、タブレットコンピュータ、ラップトップコンピュータを含む、種々の形態を成してもよい。多くの好適なデバイスは、これらの機能のうちのいくつかはまた全てを組み合わせる。本開示のいくつかの実施形態では、ＵＡ１０は、携帯用、ラップトップ、またはタブレットコンピュータのような汎用コンピュータデバイスではなく、むしろ、携帯電話、無線ハンドセット、ポケットベル、ＰＤＡ、または車両内に搭載される電気通信デバイス等の特殊用途通信デバイスである。また、ＵＡ１０は、デスクトップコンピュータ、セットトップボックス、またはネットワークノード等、同様の能力を有するが運搬可能ではないデバイスであってもよく、デバイスを含んでもよく、あるいはデバイス内に含められてもよい。ＵＡ１０は、ゲーム、在庫管理、ジョブ制御、および／またはタスク管理機能等、特殊活動をサポートしてもよい。
【００８８】
ＵＡ１０は、ディスプレイ７０２を含む。また、ＵＡ１０は、ユーザによる入力のために、概して７０４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。ＵＡ１０は、ユーザが選択するためのオプション、ユーザが作動させるための制御、および／またはユーザが指図するためのカーソルあるいは他の指標を提示してもよい。
【００８９】
ＵＡ１０はさらに、ダイヤルする番号、またはＵＡ１０の動作を構成するための種々のパラメータ値を含む、ユーザからのデータ入力を受け取ってもよい。ＵＡ１０はさらに、ユーザコマンドに応じて、１つ以上のソフトウェアまたはファームウェアアプリケーションを実行してもよい。これらのアプリケーションは、ユーザ対話に応じて、種々のカスタマイズされた機能を果たすようにＵＡ１０を構成してもよい。加えて、ＵＡ１０は、例えば、無線基地局、無線アクセスポイント、またはピアＵＡ１０から、無線でプログラムおよび／または構成されてもよい。
【００９０】
ＵＡ１０によって実行可能な種々のアプリケーションの中には、ディスプレイ７０２がウェブページを表示することを可能にするウェブブラウザがある。ウェブページは、無線ネットワークアクセスノード、携帯電話の基地局、ピアＵＡ１０、または任意の他の無線通信ネットワークあるいはシステム７００との無線通信を介して、取得されてもよい。ネットワーク７００は、インターネット等の有線ネットワーク７０８に連結される。無線リンクおよび有線ネットワークを介して、ＵＡ１０は、サーバ７１０等の種々のサーバ上の情報にアクセスできる。サーバ７１０は、ディスプレイ７０２上に示されてもよい、コンテンツを提供してもよい。代替として、ＵＡ１０は、中継型またはホップ型接続で仲介としての役割を果たす、ピアＵＡ１０を通してネットワーク７００にアクセスしてもよい。
【００９１】
図９は、ＵＡ１０のブロック図を示す。ＵＡ１０の種々の既知の構成要素が描写されているが、実施形態では、記載された構成要素の一部および／または記載されていない付加的な構成要素が、ＵＡ１０に含まれてもよい。ＵＡ１０は、デジタル信号プロセッサ（ＤＳＰ）８０２と、メモリ８０４とを含む。示されるように、ＵＡ１０はさらに、アンテナおよびフロントエンドユニット８０６、無線周波数（ＲＦ）送受信機８０８、アナログベースバンド処理ユニット８１０、マイクロホン８１２、イヤホンスピーカ８１４、ヘッドセットポート８１６、入力／出力インターフェース８１８、可撤性メモリカード８２０、ユニバーサルシリアルバス（ＵＳＢ）ポート８２２、短距離無線通信サブシステム８２４、アラート８２６、キーパッド８２８、タッチセンサ式表面８３０を含み得る、液晶ディスプレイ（ＬＣＤ）、ＬＣＤコントローラ８３２、電荷結合素子（ＣＣＤ）カメラ８３４、カメラコントローラ８３６、および全地球測位システム（ＧＰＳ）センサ８３８を含んでもよい。実施形態では、ＵＡ１０は、タッチセンサ式スクリーンを提供しない、別の種類のディスプレイを含んでもよい。ある実施形態では、ＤＳＰ８０２は、入力／出力インターフェース８１８を通過せずに、メモリ８０４と直接通信してもよい。
【００９２】
ＤＳＰ８０２または何らかの他の形態のコントローラあるいは中央処理ユニットは、メモリ８０４に記憶された、またはＤＳＰ８０２自体内に含有されるメモリに記憶された、組み込みソフトウェアまたはファームウェアに従って、ＵＡ１０の種々の構成要素を制御するように動作する。組み込みソフトウェアまたはファームウェアに加えて、ＤＳＰ８０２は、メモリ８０４に記憶された、または、可撤性メモリカード８２０のような携帯用データ記憶媒体等の情報搬送波媒体を介して、あるいは有線または無線ネットワーク通信を介して利用可能となる、他のアプリケーションを実行してもよい。アプリケーションソフトウェアは、所望の機能性を提供するようにＤＳＰ８０２を構成する、コンパイルされた一式の機械可読命令を備えてもよく、または、アプリケーションソフトウェアは、ＤＳＰ８０２を間接的に構成するようにインタープリタまたはコンパイラによって処理される、高次ソフトウェア命令であってもよい。
【００９３】
アンテナおよびフロントエンドユニット８０６は、無線信号と電気信号との間で変換するように提供されてもよく、ＵＡ１０が、セルラーネットワークまたは何らかの他の利用可能な無線通信ネットワークから、あるいはピアＵＡ１０から、情報を送受信することを可能にする。実施形態では、アンテナおよびフロントエンドユニット８０６は、ビーム形成および／または多重入出力（ＭＩＭＯ）動作をサポートするように複数のアンテナを含んでもよい。当業者に周知であるように、ＭＩＭＯ動作は、困難なチャネル条件を克服する、および／またはチャネルスループットを増加させるために使用することができる、空間的多様性を提供してもよい。アンテナおよびフロントエンドユニット８０６は、アンテナ同調および／またはインピーダンス整合構成要素、ＲＦ電力増幅器、および／または低雑音増幅器を含んでもよい。
【００９４】
ＲＦ送受信機８０８は、周波数偏移を提供し、受信したＲＦ信号をベースバンドに変換し、ベースバンド伝送信号をＲＦに変換する。いくつかの説明では、無線送受信機またはＲＦ送受信機は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解されてもよい。簡単にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り当てる。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられてもよい。
【００９５】
アナログベースバンド処理ユニット８１０は、入力および出力の種々のアナログ処理、例えば、マイクロホン８１２およびヘッドセット８１６からの入力と、イヤホン８１４およびヘッドセット８１６への出力のアナログ処理を提供してもよい。その目的を達成するために、アナログベースバンド処理ユニット８１０は、ＵＡ１０が携帯電話として使用されることを可能にする、内蔵マイクロホン８１２およびイヤホンスピーカ８１４に接続するためのポートを有してもよい。さらに、アナログベースバンド処理ユニット８１０は、ヘッドセットまたは他のハンズフリーマイクロホンおよびスピーカ構成に接続するためのポートを含んでもよい。アナログベースバンド処理ユニット８１０は、１つの信号方向にデジタル・アナログ変換を、反対の信号方向にアナログ・デジタル変換を提供してもよい。いくつかの実施形態では、アナログベースバンド処理ユニット８１０の機能性の少なくとも一部が、デジタル処理構成要素によって、例えば、ＤＳＰ８０２によって、または他の中央処理ユニットによって提供されてもよい。
【００９６】
ＤＳＰ８０２は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行ってもよい。ある実施形態では、例えば、符号分割多重アクセス（ＣＤＭＡ）技術用途において、伝送器機能のために、ＤＳＰ８０２は、変調、符号化、インターリービング、および拡散を行ってもよく、受信機機能のために、ＤＳＰ８０２は、逆拡散、デインターリービング、復号、および復調を行ってもよい。別の実施形態では、例えば、直交周波数分割多重アクセス（ＯＦＤＭＡ）技術用途において、伝送器機能のために、ＤＳＰ８０２は、変調、符号化、インターリービング、逆高速フーリエ変換、および周期的接頭辞添付を行ってもよく、受信機機能のために、ＤＳＰ８０２は、周期的接頭辞除去、高速フーリエ変換、デインターリービング、復号、および復調を行ってもよい。他の無線技術用途では、さらに他の信号処理機能、および信号処理機能の組み合わせが、ＤＳＰ８０２によって行われてもよい。
【００９７】
ＤＳＰ８０２は、アナログベースバンド処理ユニット８１０を介して無線ネットワークと通信してもよい。いくつかの実施形態では、通信は、インターネット接続を提供し、ユーザがインターネット上のコンテンツへのアクセスを獲得すること、および電子メールまたはテキストメッセージを送受信することを可能にしてもよい。入力／出力インターフェース８１８は、ＤＳＰ８０２ならびに種々のメモリおよびインターフェースを相互接続する。メモリ８０４および可撤性メモリカード８２０は、ＤＳＰ８０２の動作を構成するようにソフトウェアおよびデータを提供してもよい。インターフェースの中には、ＵＳＢインターフェース８２２および短距離無線通信サブシステム８２４があってもよい。ＵＳＢインターフェース８２２は、ＵＡ１０を充電するために使用されてもよく、また、ＵＡ１０が、パーソナルコンピュータまたは他のコンピュータシステムと情報を交換するように周辺デバイスとして機能することを可能にしてもよい。短距離無線通信サブシステム８２４は、赤外線ポート、Ｂｌｕｅｔｏｏｔｈ（登録商標）インターフェース、ＩＥＥＥ８０２．１１準拠無線インターフェース、またはＵＡ１０が他の近くのモバイルデバイスおよび／または無線基地局と無線通信することを可能にしてもよい、任意の他の短距離無線通信サブシステムを含んでもよい。
【００９８】
入力／出力インターフェース８１８はさらに、トリガされると、例えば、ベルを鳴らす、メロディを再生する、または振動することによって、ＵＡ１０にユーザへ通知を提供させる、アラート８２６にＤＳＰ８０２を接続してもよい。アラート８２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たしてもよい。
【００９９】
キーパッド８２８は、インターフェース８１８を介してＤＳＰ８０２に連結し、ユーザが、選択を行う、情報を入力する、および別様にＵＡ１０に入力を提供するための１つの機能を提供する。キーボード８２８は、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。別の入力機構は、タッチスクリーン能力を含み、また、ユーザにテキストおよび／またはグラフィックを表示してもよい、ＬＣＤ８３０であってもよい。ＬＣＤコントローラ８３２は、ＤＳＰ８０２をＬＣＤ８３０に連結する。
【０１００】
ＣＣＤカメラ８３４は、装備された場合、ＵＡ１０がデジタル写真を撮ることを可能にする。ＤＳＰ８０２は、カメラコントローラ８３６を介してＣＣＤカメラ８３４と通信する。別の実施形態では、電荷結合素子カメラ以外の技術に従って動作するカメラが採用されてもよい。ＧＰＳセンサ８３８は、グローバルポジショニングシステム信号を復号するようにＤＳＰ８０２に連結され、それによって、ＵＡ１０がその位置を判定することを可能にする。また、種々の他の周辺機器が、付加的な機能、例えば、ラジオおよびテレビ受信を提供するように含まれてもよい。
【０１０１】
図１０は、ＤＳＰ８０２によって実装されてもよい、ソフトウェア環境９０２を図示する。ＤＳＰ８０２は、ソフトウェアの残りが動作する、プラットフォームを提供する、オペレーティングシステムドライバ９０４を実行する。オペレーティングシステムドライバ９０４は、ＵＡハードウェアのためのドライバに、アプリケーションソフトウェアにアクセス可能な標準インターフェースを提供する。オペレーティングシステムドライバ９０４は、ＵＡ１０上で作動するアプリケーション間で制御を移送する、アプリケーション管理サービス（「ＡＭＳ」）９０６を含む。また、図１０には、ウェブブラウザアプリケーション９０８、メディアプレーヤアプリケーション９１０、およびＪａｖａ（登録商標）アプレット９１２も示されている。ウェブブラウザアプリケーション９０８は、ウェブブラウザとして動作するようにＵＡ１０を構成し、ユーザがフォームに情報を入力し、ウェブページを読み出して閲覧するようにリンクを選択することを可能にする。メディアプレーヤアプリケーション９１０は、音声または視聴覚媒体を読み出し、再生するようにＵＡ１０を構成する。Ｊａｖａ（登録商標）アプレット９１２は、ゲーム、ユーティリティ、および他の機能性を提供するようにＵＡ１０を構成する。構成要素９１４は、本明細書で説明される機能性を提供する場合がある。
【０１０２】
上記で説明されるＵＡ１０、アクセスデバイス１２０、および他の構成要素は、上記で説明される作用に関連する命令を実行することが可能である、処理構成要素を含む場合がある。図１１は、本明細書で開示される１つ以上の実施形態を実装するために好適な処理構成要素１０１０を含む、システム１０００の実施例を図示する。プロセッサ１０１０（中央プロセッサユニット（ＣＰＵまたはＤＳＰ）と呼ばれてもよい）に加えて、システム１０００は、ネットワーク接続デバイス１０２０と、ランダムアクセスメモリ（ＲＡＭ）１０３０と、読取専用メモリ（ＲＯＭ）１０４０と、二次記憶装置１０５０と、入力／出力（Ｉ／Ｏ）デバイス１０６０とを含む場合がある。いくつかの実施形態では、最小数のＨＡＲＱプロセスＩＤの判定を実装するためのプログラムがＲＯＭ１０４０に記憶されてもよい。場合によっては、これらの構成要素のうちのいくつかは存在しなくてもよく、または相互と、あるいは示されていない他の構成要素との種々の組み合わせで組み合わせられてもよい。これらの構成要素は、単一の物理エンティティ内、または２つ以上の物理エンティティ内に位置する場合がある。プロセッサ１０１０によって講じられるものとして本明細書で説明される措置は、プロセッサ１０１０のみによって、あるいは図中に示される、または示されない１つ以上の構成要素と協働するプロセッサ１０１０によって、講じられる場合がある。
【０１０３】
プロセッサ１０１０は、それがネットワーク接続デバイス１０２０、ＲＡＭ１０３０、ＲＯＭ１０４０、または二次記憶装置１０５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１０１０のみが示されているが、複数のプロセッサが存在してもよい。したがって、命令は、プロセッサによって実行されるものとして論議されてもよいが、命令は、同時に、順次、あるいは別様に１つまたは複数のプロセッサによって実行されてもよい。プロセッサ１０１０は、１つ以上のＣＰＵチップとして実装されてもよい。
【０１０４】
ネットワーク接続デバイス１０２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成してもよい。これらのネットワーク接続性デバイス１０２０によって、プロセッサ１０１０が情報を受信する場合があるか、またはプロセッサ１０１０が情報を出力する場合がある、インターネット、あるいは１つ以上の電気無線通信ネットワークまたは他のネットワークと、プロセッサ１０１０が通信することを可能にしてもよい。
【０１０５】
ネットワーク接続デバイス１０２０はまた、無線周波数信号またはマイクロ波周波数信号等の電磁波の形態で、データを無線で伝送および／または受信することが可能な１つ以上の送受信機構成要素１０２５も含む場合がある。代替として、データは、導電体の表面内または上、同軸ケーブル内、導波管内、光ファイバ等の光媒体内、あるいは他の媒体内を伝播してもよい。送受信機構成要素１０２５は、別個の受信および伝送ユニット、または単一の送受信機を含んでもよい。送受信機１０２５によって伝送または受信される情報は、プロセッサ１０１０によって処理されたデータ、またはプロセッサ１０１０によって実行される命令を含んでもよい。そのような情報は、例えば、コンピュータデータベースバンド信号または搬送波で具現化される信号の形態で、ネットワークから受信され、ネットワークに出力されてもよい。データは、データを処理または生成するため、あるいはデータを伝送または受信するために望ましくてもよい、異なるシーケンスに従って順序付けられてもよい。ベースバンド信号、搬送波に統合される信号、あるいは現在使用されている、または今後開発される他の種類の信号は、伝送媒体と称されてもよく、当業者に周知のいくつかの方法に従って生成されてもよい。
【０１０６】
ＲＡＭ１０３０は、揮発性データを記憶するため、およびおそらくプロセッサ１０１０によって実行される命令を記憶するために使用される場合がある。ＲＯＭ１０４０は、典型的には二次記憶装置１０５０のメモリ能力よりも小さいメモリ能力を有する、不揮発性メモリデバイスである。ＲＯＭ１０４０は、命令、およびおそらく命令の実行中に読み出されるデータを記憶するために使用される場合がある。ＲＡＭ１０３０およびＲＯＭ１０４０の両方へのアクセスは、典型的には、二次記憶装置１０５０へのアクセスよりも速い。二次記憶装置１０５０は、典型的には、１つ以上のディスクドライブまたはテープドライブから成り、ＲＡＭ１０３０が全ての作業用データを保持するのに十分大きくない場合、データの不揮発性保存用に、またはオーバーフローデータ記憶デバイスとして使用される場合がある。二次記憶装置１０５０は、プログラムが実行用に選択される時、ＲＡＭ１０３０へロードされるプログラムを記憶するために使用されてもよい。
【０１０７】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機１０２５は、ネットワーク接続デバイス１０２０の構成要素である代わりに、またはそれに加えて、Ｉ／Ｏデバイス１０６０の構成要素と見なされる場合がある。Ｉ／Ｏデバイス１０６０のうちのいくつかまたは全ては、ディスプレイ７０２および入力７０４等、ＵＡ１０の以前に説明された図面で描写される種々の構成要素と実質的に同様であってもよい。
【０１０８】
以下の３ｒｄ  Ｇｅｎｅｒａｔｉｏｎ  Ｐａｒｔｎｅｒｓｈｉｐ  Ｐｒｏｊｅｃｔ（３ＧＰＰ）  Ｔｅｃｈｎｉｃａｌ  Ｓｐｅｃｉｆｉｃａｔｉｏｎｓ（ＴＳ）は、参照することによって本明細書に組み込まれる：ＴＳ３６．３２１、ＴＳ３６．３３１、およびＴＳ３６．３００。
【０１０９】
いくつかの実施形態が、本開示で提供されているが、開示されたシステムおよび方法が、本開示の精神または範囲から逸脱することなく、多くの他の特定の形態で具現化されてもよいことを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。例えば、前述の実施形態は、ＵＡが、ＴＡタイマが切れた後、解放前に、アップリンクリソースの指標を記憶することを示すが、他の実施形態では、ＵＡは、指標を記憶しなくてもよく、アクセスデバイスが、解放されたリソースが依然として有効であることを認識すると、アクセスデバイスは、リソースが有効であることの指標の送信に加えて、また、以前に解放されたリソースを再許可するリソース許可を伝送してもよい。
【０１１０】
また、個別または別個のものとして種々の実施形態において説明および例証される技法、システム、サブシステム、および方法を、本開示の範囲から逸脱することなく、他のシステム、モジュール、技法、または方法に組み入れるか、または一体化してもよい。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信してもよい。変更、置換、および改変の他の例は、当業者により解明可能であり、本明細書で開示される精神および範囲から逸脱することなく行うことができる。
【０１１１】
本発明の範囲を公に周知させるため、以下の請求項の範囲が主張される。
（項目１）
ユーザエージェントにおいて、
構成メッセージをアクセスデバイスから受信するステップと、
前記ユーザエージェントにおけるアップリンク時間同期が、前記構成メッセージが受信される時、喪失される場合、前記構成メッセージ情報の少なくとも一部を使用して、前記ユーザエージェントを構成するステップと、
時間同期が回復された後、前記アクセスデバイスと通信するステップと、
を含む、通信システム内における方法。
（項目２）
前記ユーザエージェントにおけるアップリンク時間同期は、時間整合タイマが切れるまたは起動していないことに基づいて、喪失されていると判定される、項目１に記載の方法。
（項目３）
前記構成メッセージは、少なくとも１つのアップリンク制御チャネルリソースの構成を含み、前記アクセスデバイスと通信するステップは、前記構成メッセージと関連付けられた制御チャネルリソースを使用して、前記アクセスデバイスに伝送するステップを含む、項目１に記載の方法。
（項目４）
ユーザエージェントにおいて、
構成メッセージをアクセスデバイスから受信するステップと、
前記ユーザエージェントにおけるアップリンク時間同期が、前記構成メッセージが受信される時、喪失される場合、時間同期が回復された後、前記構成メッセージ情報の少なくとも一部を使用して、前記ユーザエージェントを構成するステップと、
前記メッセージ内で受信された構成を使用して、前記アクセスデバイスと通信するステップと
を含む、通信システム内における方法。
（項目５）
構成メッセージは、ユーザエージェントにおいて受信され、前記ユーザエージェントが、どのようにアクセスデバイスと通信するように構成されるべきかを示す情報を含む、通信システム内における方法であって、ユーザエージェントにおいて、
構成メッセージをアクセスデバイスから受信するステップと、
前記ユーザエージェントにおけるアップリンク時間同期が、前記構成メッセージが受信される時、喪失される場合、前記構成メッセージ情報を使用して、前記ユーザエージェントを構成するステップと、
時間同期が回復されるまで、前記アクセスデバイスとの通信を保留するステップと
を含む、方法。
（項目６）
前記ユーザエージェントにおけるアップリンク時間同期は、時間整合タイマが切れるまたは起動していないことに基づいて、喪失されていると判定される、項目５に記載の方法。
（項目７）
前記構成メッセージは、少なくとも１つのアップリンク制御チャネルリソースの構成を含み、前記アクセスデバイスと通信するステップは、前記構成メッセージと関連付けられた制御チャネルリソースを使用して、前記アクセスデバイスに伝送するステップを含む、項目５に記載の方法。
（項目８）
通信システム内で使用するための装置であって、
構成メッセージをアクセスデバイスから受信するステップと、
前記ユーザエージェントにおけるアップリンク時間同期が、前記構成メッセージが受信される時、喪失される場合、前記構成メッセージ情報の少なくとも一部を使用して、前記ユーザエージェントを構成するステップと、
時間同期が回復された後、前記アクセスデバイスと通信するステップと
を行なうようにプログラムされたプロセッサを含む、ユーザエージェントを含む、装置。
（項目９）
前記ユーザエージェントにおけるアップリンク時間同期は、時間整合タイマが切れるまたは起動していないことに基づいて、喪失されていると判定される、項目８に記載の装置。
（項目１０）
前記構成メッセージは、少なくとも１つのアップリンク制御チャネルリソースの構成を含み、前記アクセスデバイスと通信するステップは、前記構成メッセージと関連付けられた制御チャネルリソースを使用して、前記アクセスデバイスに伝送するステップを含む、項目８に記載の装置。
（項目１１）
通信システムと併用するための装置であって、
構成メッセージをアクセスデバイスから受信するステップと、
前記ユーザエージェントにおけるアップリンク時間同期が、前記構成メッセージが受信される時、喪失される場合、時間同期が回復された後、前記構成メッセージ情報の少なくとも一部を使用して、前記ユーザエージェントを構成するステップと、
前記メッセージ内で受信された構成を使用して、前記アクセスデバイスと通信するステップと
を行なうようにプログラムされたプロセッサを含む、ユーザエージェントを含む、装置。
（項目１２）
構成メッセージは、ユーザエージェントにおいて受信され、前記ユーザエージェントが、どのようにアクセスデバイスと通信するように構成されるべきかを示す情報を含む、通信システムと併用するための装置であって、
構成メッセージをアクセスデバイスから受信するステップと、
前記ユーザエージェントにおけるアップリンク時間同期が、前記構成メッセージが受信される時、喪失される場合、前記構成メッセージ情報を使用して、前記ユーザエージェントを構成するステップと、
時間同期が回復されるまで、前記アクセスデバイスとの通信を保留するステップと
を行なうようにプログラムされたプロセッサを含む、ユーザエージェントを含む、装置。
（項目１３）
前記ユーザエージェントにおけるアップリンク時間同期は、時間整合タイマが切れるまたは起動していないことに基づいて、喪失されていると判定される、項目１２に記載の装置。
（項目１４）
前記構成メッセージは、少なくとも１つのアップリンク制御チャネルリソースの構成を含み、前記アクセスデバイスと通信するステップは、前記構成メッセージと関連付けられた制御チャネルリソースを使用して、前記アクセスデバイスに伝送するステップを含む、項目１２に記載の装置。
【図１】
0005460925.tif 000002
【図２】
0005460925.tif 000003
【図３】
0005460925.tif 000004
【図４】
0005460925.tif 000005
【図５】
0005460925.tif 000006
【図６】
0005460925.tif 000007
【図７】
0005460925.tif 000008
【図８】
0005460925.tif 000009
【図９】
0005460925.tif 000010
【図１０】
0005460925.tif 000011
【図１１】
0005460925.tif 000012
【図１２】
0005460925.tif 000013
【図１３】
0005460925.tif 000014
【図１４】
0005460925.tif 000015
【図１５】
0005460925.tif 000016
【図１６】
0005460925.tif 000017